(57)【要約】  トイレを洗浄又は消毒するための第１のタイプの１つ以上の洗浄材料を貯蔵するように構成された少なくとも１つの容器、１つ以上のパイプを介して前記第１のタイプの１つ以上の洗浄材料を供給するための１つ以上のポンプ、及び、１つ以上の電源を含む貯蔵及び制御ユニットと、ハウジングであって、前記ハウジングの１つ以上の開口部を介して流れる前記トイレの洗浄タンク流体を収集及び貯蔵するように構成及び有効化されたキャビティを有する、前記ハウジング、第２のタイプの１つ以上の洗浄材料、１つ以上の噴霧装置を含む噴霧ユニットであって、前記噴霧装置は、第２のタイプの洗浄材料と混合された前記洗浄タンク流体を１つ以上の噴霧装置を介して便器の内部に噴霧するように構成及び有効化された、前記噴霧ユニット、前記１つ以上のパイプから前記第１のタイプの洗浄材料を受け取り、前記便器のキャビティに前記第１タイプの洗浄材料を噴霧する回転可能な噴霧ユニット、及び、前記便器のリムに吊るされ、前記洗浄ユニットを便器洗浄水の経路で前記便器のリムから離して前記便器のリムの下方に保持するように構成及び有効化されたブリッジユニットを有する、トイレを洗浄するための装置、システム及び方法が提供される。【選択図】  図１Ａ
2020522628.tif 000002
【特許請求の範囲】
【請求項１】
トイレを洗浄するための装置であって、
前記トイレを洗浄又は消毒するための第１のタイプの１つ以上の洗浄材料を貯蔵するように構成された少なくとも１つの容器、
１つ以上のパイプを介して前記第１のタイプの１つ以上の洗浄材料を供給するための１つ以上のポンプ、及び、
１つ以上の電源
を含む貯蔵及び制御ユニットと、
ハウジングであって、前記ハウジングの１つ以上の開口部を介して流れる前記トイレの洗浄タンク流体を収集及び貯蔵するように構成及び有効化されたキャビティを有する、前記ハウジング、
第２のタイプの１つ以上の洗浄材料、
１つ以上の噴霧装置を含む噴霧ユニットであって、前記噴霧装置は、第２のタイプの洗浄材料と混合された前記洗浄タンク流体を１つ以上の噴霧装置を介して便器の内部に噴霧するように構成及び有効化された、前記噴霧ユニット、
前記処理ユニット内で前記第２のタイプの洗浄材料と混合された前記洗浄タンク流体を前記噴霧ユニットに引き込むための１つ以上のポンプ、
回転可能な噴霧ユニットであって、
前記１つ以上のパイプから前記第１のタイプの洗浄材料を受け取り、
前記便器のキャビティで前記処理ユニットの長さに対して垂直に回転し、
前記便器のキャビティに前記第１タイプの洗浄材料を噴霧する、前記回転可能な噴霧ユニット、及び、
前記処理ユニット及び前記処理ユニットに接続可能なブリッジユニットであって、前記ブリッジユニットは、前記便器のリムに吊るされ、前記洗浄ユニットを便器洗浄水の経路で前記便器のリムから離して前記便器のリムの下方に保持するように構成された、前記ブリッジユニットを有する装置。
【請求項２】
前記トイレ又は前記トイレ周辺に関するデータを収集するように構成され、有効化された１つ以上のセンサ、及び、
前記１つ又は複数のセンサからデータを受信し、前記トイレ又は前記トイレの周辺の条件に関するデータを処理し、前記噴霧装置又は前記回転可能な噴霧ユニットを操作して、処理された前記データに従って前記第１タイプ及び第２タイプの洗浄材料を提供する、１つ以上の処理ユニット
を有する請求項１に記載の装置。
【請求項３】
前記データは、前記装置又は前記便器に近接する物体又は使用者の存在の１つ以上の指示を含み、前記１つ以上の処理ユニットは、使用者がトイレの近くにいないときに前記噴霧装置又は前記回転可能装置を作動させるように構成される、請求項１に記載の装置。
【請求項４】
前記センサが、近接センサ、圧力センサ、ＲＦセンサ、ＩＲセンサ、レーザーセンサ、生物学的センサ、イメージセンサ、分光センサ、匂いを検出するように構成されたセンサ、ＰＨセンサからなる群から選択される、請求項１に記載の装置。
【請求項５】
１つ以上のインジケータユニットを備える、請求項１に記載の装置。
【請求項６】
前記１つ以上のインジケータユニットは、機械的インジケータユニット又は電子インジケータユニットである、請求項５に記載の装置。
【請求項７】
前記電子インジケータユニットは、１つ以上のライトを含む、請求項６に記載の装置。
【請求項８】
前記１つ以上のインジケータユニットは、前記装置の状態を提示するように構成される、請求項７に記載の装置。
【請求項９】
前記１つ以上のインジケータユニットは、前記１つ以上の容器の状態を提示するように構成される、請求項７に記載の装置。
【請求項１０】
前記１つ以上のインジケータユニットは、前記装置を作動させるか、前記１つ以上の容器の使用のために残された使用サイクルの数を提示するように構成される、請求項９に記載の装置。
【請求項１１】
前記１つ以上のインジケータは、１つ以上の電源状態を提示するように構成される、請求項６に記載の装置。
【請求項１２】
前記１つ以上の噴霧装置又は回転可能な噴霧ユニットが噴霧ノズルを含む、請求項１に記載の装置。
【請求項１３】
前記スプレーノズルは、回転又は移動するように構成され有効にされている、請求項１２に記載の装置。
【請求項１４】
前記１つ以上の処理ユニットは、前記センサから受信した１つ以上の指示に従って第１の洗浄プロセスを開始するように構成される、請求項２に記載の装置。
【請求項１５】
前記処理ユニットは、前記第１の洗浄プロセスに続いて、又は前記センサから受信した１つ以上の指示に従って、第２の洗浄プロセスを開始するように構成される、請求項１４に記載の装置。
【請求項１６】
前記第１の洗浄プロセスは、前記噴霧ユニットの作動させること、及び、前記便器に液体と洗浄材料を噴霧することを含む、請求項１４に記載の装置。
【請求項１７】
前記第１のタイプの洗浄材料が、
ａ．材料の洗浄とホワイティング  ｂ．こびりつき防止材料  ｃ．発泡材料  ｄ．色材  ｅ．香料材料
のように噴霧される、請求項１５に記載の装置。
【請求項１８】
前記第２の洗浄プロセスが、前記回転可能な噴霧ユニットの作動を含む、請求項１７に記載の装置。
【請求項１９】
前記第２の洗浄プロセスは、１つ以上の消毒材料を噴霧することを含む、請求項１８に記載の装置。
【請求項２０】
前記洗浄装置に電力を供給する水力手段を備える、請求項１に記載の装置。
【請求項２１】
前記水力手段が、水力発電をして電源を充電するための発電機ユニットを含む、請求項２０に記載の装置。
【請求項２２】
前記水力手段が、機械的回転をパルス直流に変換するための１つ以上の導線の回転コイルをさらに含む、請求項２１に記載の装置。
【請求項２３】
前記回転コイルがホイールである、請求項２２に記載の装置。
【請求項２４】
前記ホイールが前記ブリッジユニットに接続されている、請求項２３に記載の装置。
【請求項２５】
前記ホイールは、前記処理ユニットのキャビティに完全に又は部分的に挿入されるように構成される、請求項２４に記載の装置。
【請求項２６】
前記ホイールが八角形である、請求項２３に記載の装置。
【請求項２７】
前記ブリッジユニットは、前記ホイールを回転させるための１つ以上のピボットを備え、
前記ホイールは、キャビティの端部からの水の漏れを防ぐために前記ホイールの円周リムの周りに取り付けられる多数のキャビティ及びブレードを備える、請求項２３に記載の装置。
【請求項２８】
前記装置がステッピングモーター又は回転モーターを含む、請求項１に記載の装置。
【請求項２９】
前記回転可能な噴霧ユニットがスプリンクラーを備え、前記スプリンクラーが、消毒材料又は洗浄材料をトイレ又はトイレ周囲に噴霧するために外部パイプの遠位端に連結される、請求項１に記載の装置。
【請求項３０】
前記処理ユニットが細長い溝を備え、前記回転可能な噴霧ユニットが前記細長い溝内に埋め込まれている、請求項１に記載の装置。
【請求項３１】
前記回転可能な噴霧ユニットが前記処理ユニットの底部に取り付けられている、請求項１に記載の装置。
【請求項３２】
前記処理ユニットは、少なくとも１つの処理容器を備え、前記少なくとも１つの処理容器は、流体を収集及び貯蔵するように構成及び有効化され、前記流体は、トイレ洗浄タンクの流体である、請求項１に記載の装置。
【請求項３３】
前記ブリッジユニットが、前記トイレのシート又は前記トイレの空間上の複数のノズルを介して洗浄材料を噴霧するように構成及び有効化された第２の噴霧ユニットを含む、請求項１に記載の装置。
【請求項３４】
近接センサ、
圧力センサ、及び
前記圧力センサと前記トイレを消毒するための前記回転可能な噴霧ユニットから指示を受け取ると、前記噴霧ユニットを所定の時間間隔で作動させるように構成されたタイマーを有する請求項１に記載の装置。
【請求項３５】
前記近接センサは、前記トイレ内又は前記トイレに近接するユーザー又は物体を前記近接センサが識別すると、消毒洗浄プロセスの起動を防止するように構成される、請求項３４に記載の装置。
【請求項３６】
洗浄流体の流れレベルをチェックするように構成された１つ以上のインジケータを備える、請求項１に記載の装置。
【請求項３７】
前記回転コイルは、前記回転コイルの速度に応じて便器洗浄流体の流動レベル又は速度を測定又は表示するように構成される、請求項２２に記載の装置。
【請求項３８】
示された洗浄流体の流動速度が処理ユニットに伝達され、それに応じて前記噴霧ユニット又は前記回転可能な噴霧ユニットを作動させる、請求項３７に記載の装置。
【請求項３９】
便器を自律的に洗浄する方法であって、請求項１に記載の洗浄装置を提供する手順を含み、前記処理ユニットは、前記センサから動き又は圧力指示を受け取り、前記センサの指示に従って便器の前記内面上に流体を噴霧するように前記噴霧ユニットを操作するよう構成及び有効化される、方法。
【請求項４０】
請求項１に記載の洗浄装置を提供する手順を含み、前記処理ユニットは、洗浄マトリックスに従って前記噴霧ユニットを操作するように構成され有効化される、便器を自律的に洗浄する方法。
【請求項４１】
前記洗浄マトリックスは、前記トイレを前記洗浄マトリックスにより表されるいくつかのセクションに分割することを含み、前記処理の手順は、セクションの識別されたステータスに従って、追加又は特定の処理を必要とするマトリックスのセクションの１つ以上の特定のセクションを識別することを含み得る、請求項４０に記載の方法。
【請求項４２】
トイレを自律的に洗浄するための装置であって、
前記トイレを洗浄又は消毒するための第１のタイプの１つ以上の洗浄材料を貯蔵するように構成された少なくとも１つの容器、
１つ以上のパイプを介して前記第１のタイプの１つ以上の洗浄材料を供給するた１つ以上のポンプ、及び、
１つ以上の電源
を含む貯蔵及び制御ユニットと、
ハウジングであって、前記ハウジングの１つ以上の開口部を介して流れる前記トイレの洗浄タンク流体を収集及び貯蔵するように構成及び有効化されたキャビティを有するハウジング、
第２のタイプの１つ以上の洗浄材料、
１つ以上の噴霧装置を含む噴霧ユニットであって、前記噴霧装置は、１つ以上の噴霧装置を介して前記第２のタイプの洗浄材料と混合された前記洗浄タンク流体を便器の内部に噴霧するように構成及び有効化された前記噴霧ユニット、
処理ユニット内で前記第２のタイプの洗浄材料と混合された洗浄タンク流体を前記噴霧ユニットに引き込むための１つ以上のポンプ、
前記１つ以上のパイプから前記第１のタイプの洗浄材料を受け取り、前記便器のキャビティで前記処理ユニットの長さに対して垂直に回転し、前記便器のキャビティに前記第１タイプの洗浄材料を噴霧するよう構成された回転可能な噴霧ユニット、
前記処理ユニット及び前記処理ユニットに接続可能なブリッジユニットであって、前記ブリッジユニットは、前記便器のリムに吊るされ、前記洗浄ユニットを便器洗浄水の経路で前記便器のリムから離して前記便器のリムの下方に保持するように構成及び有効化された、前記ブリッジユニット、
圧力センサ、
近接センサ、及び、
前記圧力センサから受信した１つ又は複数の指示に従って前記噴霧ユニットを起動し、前記近接センサから受信した１つ又は複数の指示に従って、前記回転可能な噴霧ユニットを起動する１つ以上の処理ユニット
を有する装置。
【発明の詳細な説明】
【技術分野】
【０００１】
［関連出願の相互参照］
本願は、本願に参照による組み込まれる2017年6月4日に出願された「トイレ洗浄装置システム及び方法」（事務所整理番号BY004/USP）と題された米国特許出願第62/ 514,854号の優先権を主張する。
【０００２】
本明細書で言及されるすべての刊行物、特許、及び特許出願は、あたかも個々の刊行物、特許、又は特許出願が参照により組み込まれることが具体的かつ個別に示されるのと同程度に参照により組み込まれる。
発明の分野
本発明は、トイレ処理装置（デバイス）、システム及び方法に関し、より詳細には、自動及び自律的な水及びエネルギー節約装置ならびにトイレの洗浄、脱臭及び消毒のための方法に関する。
【背景技術】
【０００３】
トイレ及び特に水洗トイレは、人間の尿及び糞便の廃棄のために西側世界で使用される最も一般的な衛生設備である。典型的な水洗トイレには、水をすばやく充填できるようにする貯水槽（タンク）と排水を除去する排水管に接続されたセラミックボウル（パン）が含まれている。
【０００４】
当然、トイレのボウル、特に公衆トイレのボウルは、細菌の増殖及び汚染を防ぐために基本的かつ頻繁な洗浄及び消毒が必要である。従来、便器は、液体又は粉末の洗浄剤及び消毒剤を使用して手作業でこする（スクラビング）ことにより、洗浄、脱臭、及び消毒されてきた。手作業によるスクラビングをなくすために、さまざまな便器クリーナーディスペンサーが提案されている。
【０００５】
一般的な便器クリーナーディスペンサーの１つは、便器の縁（又は、便器リム）に取り付けられた導管を通して便器に分配（又は、吐出／dispense）されるエアロゾル脱臭剤及び／又は洗浄剤を含む。別のよく知られた便器洗浄機の例には、自動便器処理装置が含まれる。そのような自動装置は、流体リザーバ、ポンプ、及び装置全体を便器の一部から吊り下げるようにするハンガー手段を含む。
【０００６】
吐出装置の例は、「吐出装置、特に固定手段を備えたトイレ洗浄器」という名称のFreyらへの米国特許出願第２０１１／０３０２７０５号に示されている。この出願は、ディスペンサー（又は、吐出装置）、少なくとも１つの調製品を保存するためのディスペンサーに接続された少なくとも１つの容器、放出するための放出要素を含む、少なくとも１つの調製品を便器の内部に放出するための放出装置、特にトイレフレッシュナーに関する。特に便器の内部への準備、ラインを介して容器に連通するように接続された放出要素、及び重力の方向に放出要素の放出オリフィスの上に配置された容器の底容器の底部と放出要素の放出オリフィスとの間にレベルＡｈの差が形成される。
【０００７】
ディスペンサーの別の例は、「着色液体用トイレリムディスペンサー」という名称のLandesbergらへの米国特許出願第２００４／００３１０９１号に示されている。洗浄操作中の洗浄水の経路において、便器の壁に隣接する便器のリムからの吊り下げを目的とする液体リムディスペンサーは、水盤壁と底部開口部を備えた水盤底部を備えた水盤（basin）と、を有し、カップ壁とカップ底部は、前記水盤内に固定されている。ディスペンサーは、カップの底部に所定の隙間をあけて対向する排出口を有する着色染色液を含む容器をさらに含む。ディスペンサーは、このように構成されているので、排出開口部がカップ壁より低く、底部開口部がカップ壁より低く、便器の壁から離れて配置され、少なくともボウルのリムから吊り下げられている場合、底部の開口部は、水盤底部の低い部分よりも高くなっている。
【０００８】
従来のトイレ洗浄器具は、少なくともいくつかの点で理想的とは言えない場合がある。第一に、従来の洗浄液の洗浄及び消毒の最終結果は不完全であり、未洗浄領域及び十分に消毒されていない領域が残る。具体的には、洗浄器具の近くにない領域は、通常は汚れたままである。第二に、既知の洗浄装置は、便器が適切に洗浄されるまで複数の洗浄サイクルを必要とし、不十分である。その結果、大量の水と洗剤が無駄になり、結果として節約されない（例えば、「グリーンでない」）装置とシステムになる。第三に、従来の装置では、機器の効率を向上させるために、電気接続などの外部エネルギーのサポートが必要である。第四に、従来のトイレ洗浄器具のコストは理想よりも高くなる可能性がある。第五に、従来のトイレ洗浄器具は、いくらかかさばり、操作が困難である場合があり、洗浄器具の部品は、少なくともいくつかの場合に理想的であるよりも専門的な取り扱いを必要とする。第６に、従来のトイレの洗浄方法と装置は、３時間又は４時間ごとに、洗浄容器の補充や、洗浄装置で十分に洗浄されなかった特定の領域の洗浄など、人間による永続的な介入を必要とする。
【発明の開示】
【発明が解決しようとする課題】
【０００９】
したがって、改良された、安価で、容易に生産可能で、自律的なトイレ洗浄装置を提供することが望ましいであろう。
【００１０】
したがって、外部電力資源に依存しない洗浄装置を提供することが望ましい。
従来技術の前述の問題の少なくともいくつかを克服する改良された低コストの統合洗浄トイレ器具を提供することがさらに望ましいであろう。
【課題を解決するための手段】
【００１１】
一態様において、トイレを洗浄するための装置であって、前記トイレを洗浄又は消毒するための第１のタイプの１つ以上の洗浄材料（又は、洗浄剤）を貯蔵するように構成された少なくとも１つの容器、１つ以上のパイプを介して前記第１のタイプの１つ以上の洗浄材料を供給するための１つ以上のポンプ、及び、１つ以上の電源を含む貯蔵及び制御ユニットと、ハウジングであって、前記ハウジングの１つ以上の開口部を介して流れる前記トイレの洗浄タンク流体を収集及び貯蔵するように構成及び有効化されたキャビティを有する、前記ハウジング、第２のタイプの１つ以上の洗浄材料、１つ以上の噴霧装置を含む噴霧ユニットであって、前記噴霧装置は、第２のタイプの洗浄材料と混合された前記洗浄タンク流体を１つ以上の噴霧装置を介して便器の内部に噴霧するように構成及び有効化された、前記噴霧ユニット、前記処理ユニット内で前記第２のタイプの洗浄材料と混合された前記洗浄タンク流体を前記噴霧ユニットに引き込むための１つ以上のポンプ、回転可能な噴霧ユニットであって、前記１つ以上のパイプから前記第１のタイプの洗浄材料を受け取り、前記便器のキャビティで前記処理ユニットの長さに対して垂直に回転し、前記便器のキャビティに前記第１タイプの洗浄材料を噴霧する、前記回転可能な噴霧ユニット、及び、前記処理ユニット及び前記処理ユニットに接続可能なブリッジユニットであって、前記ブリッジユニットは、前記便器のリムに吊るされ、前記洗浄ユニットを便器洗浄水の経路で前記便器のリムから離して前記便器のリムの下方に保持するように構成された、前記ブリッジユニットを有する装置が提供される。
【００１２】
多くの実施形態では、前記装置は、前記トイレ又は前記トイレ周辺に関するデータを収集するように構成され、有効化された１つ以上のセンサを有し、
１つ以上の処理ユニット又はタイマーは、前記１つ又は複数のセンサからデータを受信し、前記トイレ又は前記トイレの周辺の条件に関するデータを処理し、前記噴霧装置又は前記回転可能な噴霧ユニットを操作して、処理された前記データに従って前記第１タイプ及び第２タイプの洗浄材料を提供するように構成される。
【００１３】
多くの実施形態では、前記データは、前記装置又は前記便器に近接する物体又は使用者の存在の１つ以上の指示を含み、前記１つ以上の処理ユニット及び／又はタイマーは、使用者がトイレの近くにいないときに前記噴霧装置又は前記回転可能装置を作動させるように構成される。
【００１４】
多くの実施形態では、前記センサが、近接センサ、圧力センサ、ＲＦセンサ、ＩＲセンサ、レーザーセンサ、生物学的センサ、イメージセンサ、分光センサ、匂いを検出するように構成されたセンサ、ＰＨセンサからなる群から選択される。
【００１５】
多くの実施形態では、装置は１つ以上のインジケータユニットを含む。
【００１６】
多くの実施形態では、前記１つ以上のインジケータユニットは、機械的インジケータユニット又は電子インジケータユニットである。
【００１７】
多くの実施形態では、電子インジケータユニットは、１つ以上のライトを含む。
【００１８】
多くの実施形態では、１つ以上のインジケータユニットは、装置の状態を提示するように構成される。
【００１９】
多くの実施形態では、１つ以上のインジケータユニットは、１つ以上の容器の状態を提示するように構成される。
【００２０】
多くの実施形態では、１つ以上のインジケータユニットは、装置を作動させるか、１つ以上の容器を使用するために残された多数の使用サイクルを提示するように構成される。
【００２１】
多くの実施形態では、１つ以上のインジケータは、１つ以上の電源状態を提示するように構成される。
【００２２】
多くの実施形態では、１つ以上の噴霧装置又は回転可能な噴霧ユニットは、噴霧ノズルを含む。
【００２３】
多くの実施形態では、前記スプレーノズルは、回転又は移動するように構成及び使用可能にされる。
【００２４】
多くの実施形態では、１つ以上の処理及び／又はタイマーユニットは、前記センサから受信した１つ以上の指示に従って第１の洗浄プロセスを開始するように構成される。
【００２５】
多くの実施形態では、処理ユニットは、前記第１の洗浄プロセスに続いて、又は前記センサから受信した１つ以上の指示に従って、第２の洗浄プロセスを開始するように構成される。
【００２６】
多くの実施形態では、前記第１の洗浄プロセスは、噴霧ユニットを作動させるステップと、便器に液体と洗浄剤を噴霧するステップを含む。
【００２７】
多くの実施形態では、前記第１のタイプの洗浄材料が、ａ．材料の洗浄とホワイティング  ｂ．こびりつき防止材料  ｃ．発泡材料  ｄ．色材  ｅ．香料材料  のように噴霧される
【００２８】
多くの実施形態では、前記第２の洗浄プロセスが、前記回転可能な噴霧ユニットの作動を含む。
【００２９】
多くの実施形態では、前記第２の洗浄プロセスは、１つ以上の消毒材料を噴霧することを含む。
【００３０】
多くの実施形態では、装置は、前記洗浄装置に電力を供給する水力手段を備える。
【００３１】
多くの実施形態では、水力手段は、水力発電して電源を充電するための発電機ユニットを備える。
【００３２】
多くの実施形態では、前記水力手段が、機械的回転をパルス直流に変換するための１つ以上の導線の回転コイルをさらに備える。
【００３３】
多くの実施形態では、前記回転コイルはホイールである。
【００３４】
多くの実施形態では、前記ホイールは前記ブリッジユニットに接続されている。
【００３５】
多くの実施形態では、前記ホイールは、前記処理ユニットのキャビティに完全に又は部分的に挿入されるように構成される。
【００３６】
多くの実施形態では、前記ホイールは八角形である。
【００３７】
多くの実施形態では、前記ブリッジユニットは、前記ホイールを回転させるための１つ以上のピボットを備え、前記ホイールは、キャビティの端部からの水の漏れを防ぐために前記ホイールの円周リムの周りに取り付けられる多数のキャビティ及びブレードを備える。
【００３８】
多くの実施形態では、前記装置はステッピングモーター又は回転モーターを含む。
【００３９】
多くの実施形態では、
前記回転可能な噴霧ユニットがスプリンクラーを備え、前記スプリンクラーが、消毒材料又は洗浄材料をトイレ又はトイレ周囲に噴霧するために外部パイプの遠位端に連結される。
【００４０】
多くの実施形態では、前記処理ユニットは細長い溝を備え、前記回転可能な噴霧ユニットは前記細長い溝内に埋め込まれている。
【００４１】
多くの実施形態では、前記回転可能な噴霧ユニットは、前記処理ユニットの底部に取り付けられている。
【００４２】
多くの実施形態では、前記処理ユニットは、少なくとも１つの処理容器を備え、前記少なくとも１つの処理容器は、流体を収集及び貯蔵するように構成及び有効化され、前記流体は、トイレ洗浄タンクの流体である。
【００４３】
多くの実施形態では、前記ブリッジユニットが、前記トイレのシート又は前記トイレの空間上の複数のノズルを介して洗浄材料を噴霧するように構成及び有効化された第２の噴霧ユニットを含む。
【００４４】
多くの実施形態では、装置は、近接センサ、圧力センサ、及び前記圧力センサと前記トイレを消毒するための前記回転可能な噴霧ユニットから指示を受け取ると、前記噴霧ユニットを所定の時間間隔で作動させるように構成されたタイマーを有する。
【００４５】
多くの実施形態では、前記近接センサは、前記トイレ内又は前記トイレに近接するユーザー又は物体を前記近接センサが識別すると、消毒洗浄プロセスの起動を防止するように構成される。
【００４６】
多くの実施形態では、前記装置は、洗浄流体の流れレベルをチェックするように構成された１つ以上のインジケータを備える。
【００４７】
多くの実施形態では、前記回転コイルは、前記回転コイルの速度に応じて便器洗浄流体の流動レベル又は速度を測定又は表示するように構成される。
【００４８】
多くの実施形態では、示された洗浄流体の流動速度が処理ユニットに伝達され、それに応じて噴霧ユニット又は回転可能な噴霧ユニットを作動させる。
【００４９】
別の態様では、便器を自律的に洗浄する方法であって、洗浄装置を提供する手順を含み、前記処理ユニットは、前記センサから動き又は圧力指示を受け取り、前記センサの指示に従って便器の前記内面上に流体を噴霧するように前記噴霧ユニットを操作するよう構成及び有効化される、方法が提供される。
【００５０】
別の態様では、洗浄装置を提供する手順を含み、前記処理ユニットは、洗浄マトリックスに従って前記噴霧ユニットを操作するように構成され有効化される、便器を自律的に洗浄する方法が提供される。
【００５１】
多くの実施形態では、前記洗浄マトリックスは、前記トイレを前記洗浄マトリックスにより表されるいくつかのセクションに分割することを含み、前記処理の手順は、セクションの識別されたステータスに従って、追加又は特定の処理を必要とするマトリックスのセクションの１つ以上の特定のセクションを識別することを含み得る。
【００５２】
別の態様では、トイレを自律的に洗浄するための装置は、前記トイレを洗浄又は消毒するための第１のタイプの１つ以上の洗浄材料を貯蔵するように構成された少なくとも１つの容器、１つ以上のパイプを介して前記第１のタイプの１つ以上の洗浄材料を供給するた１つ以上のポンプ、及び、１つ以上の電源を含む貯蔵及び制御ユニットと、ハウジングであって、前記ハウジングの１つ以上の開口部を介して流れる前記トイレの洗浄タンク流体を収集及び貯蔵するように構成及び有効化されたキャビティを有するハウジング、第２のタイプの１つ以上の洗浄材料、１つ以上の噴霧装置を含む噴霧ユニットであって、前記噴霧装置は、１つ以上の噴霧装置を介して前記第２のタイプの洗浄材料と混合された前記洗浄タンク流体を便器の内部に噴霧するように構成及び有効化された前記噴霧ユニット、処理ユニット内で前記第２のタイプの洗浄材料と混合された洗浄タンク流体を前記噴霧ユニットに引き込むための１つ以上のポンプ、前記１つ以上のパイプから前記第１のタイプの洗浄材料を受け取り、前記便器のキャビティで前記処理ユニットの長さに対して垂直に回転し、前記便器のキャビティに前記第１タイプの洗浄材料を噴霧するよう構成された回転可能な噴霧ユニット、前記処理ユニット及び前記処理ユニットに接続可能なブリッジユニットであって、前記ブリッジユニットは、前記便器のリムに吊るされ、前記洗浄ユニットを便器洗浄水の経路で前記便器のリムから離して前記便器のリムの下方に保持するように構成及び有効化された、前記ブリッジユニット、圧力センサ、近接センサ、及び、前記圧力センサから受信した１つ又は複数の指示に従って前記噴霧ユニットを起動し、前記近接センサから受信した１つ又は複数の指示に従って、前記回転可能な噴霧ユニットを起動する命令を有する１つ以上の処理ユニットを有する装置が提供される。
【００５３】
特に定義されない限り、本明細書で使用されるすべての技術用語及び／又は科学用語は、本発明が関係する当業者によって一般に理解されるのと同じ意味を有する。本明細書に記載されるものと類似又は同等の方法及び材料を本発明の実施形態の実施又は試験に使用することができるが、例示的な方法及び／又は材料を以下に記載する。矛盾する場合、定義を含む特許明細書が支配する。さらに、材料、方法、及び例は単なる例示であり、必ずしも限定することを意図するものではない。
【００５４】
本発明の実施形態の方法及び／又はシステムの実装は、選択されたタスクを手動で、自動的に、又はそれらの組み合わせで実行又は完了することを含むことができる。さらに、本発明の方法及び／又はシステムの実施形態の実際の計装及び機器によれば、いくつかの選択されたタスクは、ハードウェア、ソフトウェア、ファームウェア、又はオペレーティングシステムを使用するそれらの組み合わせによって実装できる。
【００５５】
例えば、本発明の実施形態によれば、選択されたタスクを実行するためのハードウェアは、チップ又は回路として実装され得る。ソフトウェアとしては、本発明の実施形態による選択されたタスクは、任意の適切なオペレーティングシステムを使用してコンピュータによって実行される複数のソフトウェア命令として実装され得る。本発明の例示的な実施形態では、本明細書に記載の方法及び／又はシステムの例示的な実施形態による１つ又は複数のタスクは、複数の命令を実行するコンピューティングプラットフォームなどのデータプロセッサによって実行される。任意選択で、データプロセッサは、命令及び／又はデータを格納するための揮発性メモリ、及び／又は命令及び／又はデータを格納するための不揮発性ストレージ、例えば磁気ハードディスク及び／又はリムーバブルメディアを含む。
【図面の簡単な説明】
【００５６】
開示された主題は、添付の図面と共に読まれるときに、以下の詳細な説明を参照することにより最もよく理解され得る。
【００５７】
図１Ａは、構成による洗浄装置の等角上面図を示す。
【００５８】
図１Ｂは、構成による洗浄装置の等角側面図を示す。
【００５９】
図１Ｃ及び１Ｄは、構成による、洗浄装置の別の等角側面及び上面図を示す。
【００６０】
図１Ｅ〜図１Ｆは、構成による洗浄装置の別の等角図を示す。
【００６１】
図１Ｇは、構成による洗浄装置１００の容器及びカバーの等角上面図を示す。
【００６２】
図２Ａは、構成による、便器リムに掛けられた装置の上面等角図を示す。
【００６３】
図２Ｂ及び２Ｃは、構成による、便器リムに吊るされた装置の側面図及び上面図を示す。
【００６４】
図３Ａ〜３Ｂは、構成による処理ユニットの等角図を示す。
【００６５】
図３Ｃ〜３Ｄは、構成による、処理ユニットの等角上側断面図を示す。
【００６６】
図３Ｅ〜３Ｆは、構成による、処理ユニットの等角外向き上面図及び側面図を示す。
【００６７】
図３Ｇは、構成による、処理ユニット内部ユニットの等角図を示す。
【００６８】
図３Ｈは、構成による、処理ユニットの内部ユニットの図を示す。
【００６９】
図３Ｉは、構成による、回転可能な外部アームを示す。
【００７０】
図４Ａ〜４Ｄは、構成による、貯蔵及び制御ユニットのいくつかの等角図を示す。
【００７１】
図５Ａ及び５Ｂは、構成による、ブリッジユニットの上側等角図を示す。
【００７２】
図５Ｃは、構成による、処理ユニット内部の回転ホイールの上部等角図を示す。
【００７３】
図５Ｄは、構成による、回転ホイールの上部等角図を示す。
【００７４】
図６Ａ−６Ｂは、構成による、トイレの洗浄及び／又は泡立て及び／又は消毒のための方法のフローチャートを示す。
【００７５】
図７は、構成に従った、処理装置を操作するプロセスを示すフローチャートである。
【００７６】
図８は、構成による装置の要素を示す高レベルの概略ブロック図を示す。そして
【００７７】
図９は、構成による方法及び装置との組み込みに適したコンピュータシステムを示す。
【発明を実施するための形態】
【００７８】
上記で説明したように、本発明は、トイレ処理装置、システム及び方法に関し、より具体的には、水及びエネルギー節約能力を備える自動及び自律スマートトイレ洗浄装置に関する。システム及び装置は、例えば、便座、便器、トイレ空間などのトイレの脱臭及び／又は消毒を含むトイレを洗浄するように構成される。
【００７９】
本発明の詳細な説明が記載される前に、以下で使用される特定の用語の定義を記載することが役立つ場合がある。
【００８０】
本明細書で使用される「トイレ」という用語は、使用者の１つ以上の生物学的老廃物を収集するために使用され得る装置を包含する。
【００８１】
本明細書で使用される「ユーザー」という用語は、本明細書で開示されるトイレの実施形態に身体の排泄物を堆積させる人間又は動物を包含する。
【００８２】
本明細書で使用される「洗浄マトリックス」という用語は、本明細書及び明細書及び特許請求の範囲で使用される場合、例えばトイレの状態（例えば、消毒／発泡など）に応じた線上の１つ以上のタイプの洗浄などの手順を含む１つ以上の規定の洗浄を包含すると理解されるべきである。
【００８３】
本明細書及び明細書及び特許請求の範囲を通して使用される「洗浄（又は、クリーニング）」という用語は、汚れの除去、処理、又は汚れの洗浄のプロセスを包含すると理解されるべきである。場合によっては、洗浄プロセスには、脱臭及び／又は便座の消毒などの消毒が含まれる。
【００８４】
本明細書で使用される場合、同様の文字は同様の要素を識別する。
【００８５】
いくつかの実施形態によれば、便器の内面、便座、トイレ空間、トイレ周辺、及びトイレ付近の他の場所などのトイレの洗浄及び／又は脱臭及び／又は脱臭及び／又は消毒のための１つ以上の洗浄及び／又は噴霧ユニットを自動的かつ自律的に制御するための処理ユニットを備えるモジュール式及び自律洗浄装置などのトイレ洗浄装置が提供される。
【００８６】
いくつかの場合において、装置は、人間のサポート及び／又は人間の制御などの外部の手動干渉又は制御を必要とせずに、公共トイレなどのトイレ、及び／又はトイレ周辺を自律的に洗浄してもよい。例えば、装置は、「プラグアンドプレイ」方式でトイレ（トイレボウル又はトイレの縁など）に配置して使用するように自動的に設定され、装置がトイレに配置されると自動的に設定されると、例えば、洗浄マトリックスに従ってトイレを洗浄及び／又は脱臭及び／又は消毒することを含む洗浄手順を開始する。
【００８７】
いくつかの場合では、自動及び自律的起動は、トイレ内のユーザーの存在及び／又は位置を検出するための近接センサなどの１つ又は複数のセンサを使用して実行される。
【００８８】
実施形態によれば、電池及び洗浄容器などの装置ユニットは、装置から容易に取り外し可能であり、装置に挿入し戻すことができる。例えば、ユニットは、適切なシールが確実にされるために、本体及び／又はフレームに確実に係合できるフレーム又は他のユニットを含むことができ、可聴又は物理的な「クリック」タイプの確認を提供し得る。
【００８９】
いくつかの場合において、装置及び／又は装置ユニットはシール（密閉）可能である。例えば、装置ハウジングは、解放可能なシール可能な容器などの１つ以上のシール可能な容器を含むように構成される。容器は、容器本体、蓋、ガスケット、及びロックアームを含んでもよい。容器本体は、開口部を規定するリップを含む。リップは、シール部分と係合部分を含む。より具体的には、ハウジングは、ごみやその他の洗浄剤が装置のハウジング内で、又は、ユニット間で漏れないように構成されている。
【００９０】
いくつかの場合において、装置は、例えば、最初にトイレに取り付けられた又はトイレに置かれた後に取り外されないように、装置がトイレから取り外されないようにするための１つ以上のユニットを含む。
【００９１】
いくつかの場合において、洗浄装置は、洗浄装置の電源を自律的に再充電するように構成及び使用可能にされた統合（又は、一体型）発電ユニットを備える。
【００９２】
いくつかの場合では、ユーザーがトイレ又はトイレの近くにいる場合、装置は自動的に無効になり、洗浄手順を実行しないように構成される。
【００９３】
洗浄装置は、１つ以上のセンサから受信したデータに従ってトイレの１つ以上の位置を自律的及び／又は自動的に洗浄するように構成及び有効化された少なくとも１つの噴霧ユニットをさらに含む。具体的には、装置は、トイレボール（又は、便器）の内面を洗浄するように構成された第１の噴霧ユニットと、例えば同時に便座とトイレ空間及び周囲を洗浄するように構成された第２の噴霧ユニットとを備える。噴霧ユニットは、例えば３６０度で自動的に移動又は回転し、装置のスパウトからの液体（例えば、洗浄剤）の方向と流れを制御できるスパウト又はノズルなどの１つ以上の噴霧装置を備えてもよい。
【００９４】
本発明の様々な特徴は、単一の実施形態の文脈で説明され得るが、特徴はまた、別個に又は任意の適切な組み合わせで提供され得る。逆に、本明細書では、明確にするために別個の実施形態の文脈で本発明を説明することがあるが、本発明は単一の実施形態で実施することもできる。
【００９５】
いくつかの実施形態による、自動及び／又は自律的にトイレを洗浄するための洗浄装置１００を示す図１Ａ〜１Ｂを参照する。図１Ａは、装置１００の等角上面図を示し、図１Ｂは、装置１００の等角側面図を示す。いくつかの実施形態によれば、装置１００は、例えば３つの主要ユニット（処理ユニット１１０、ユニット１２０及び貯蔵及び制御ユニット１３０）を含むモジュールであり得る。
【００９６】
場合によっては、３つのユニットが形成されて一体として接続されるか、あるいは処理ユニット１１０及びブリッジユニット１２０が一体として形成又は接続され、ブリッジユニットが貯蔵及び制御ユニット１３０に接続可能である。
【００９７】
実施形態によれば、処理ユニット１１０は、１つ以上の流体リザーバ又は容器、洗浄剤及び材料、１つ以上の洗浄及び噴霧ユニットを備えてもよい。処理ユニット１１０は、トイレの水洗タンクからの水洗水などのフラッシュや、例えば１３０から受け取った洗剤や処理ユニット１１０に置かれた洗浄剤などの洗浄トリートメントなどを収集して受け取り、受け取った流体及び洗浄剤から化学混合物を形成するように構成される。次いで、化学混合物は、例えば便器の周囲表面に沿って自動的に噴霧される。
【００９８】
いくつかの実施形態によれば、処理ユニット１１０は、例えば細長いパイプとして成形された噴霧アーム１９０を含む。場合によっては、噴霧アーム１９０は、処理ユニットの外部に配置され、処理ユニット１１０の長さに垂直に回転するように構成される。場合によっては、噴霧アーム１９０は、貯蔵及び制御ユニット１３０からの消毒剤を含む材料などの洗浄材料（洗浄剤）を送達及び分散し、トイレの内部に材料を噴霧するように構成される。
【００９９】
実施形態によれば、装置１００は、便器表面の側壁でのフラッシング（又は、水洗）動作中の水フラッシング（又は、洗浄水）が処理ユニット１１０の１つ又は複数の流体リザーバ又はコンテナによって効率的に蓄積されるように、例えば便器リムに吊るされ、便器から離れて、例えば、フラッシング水の経路におけるトイレの縁の下に処理ユニット１１０を保持するように構成されたブリッジユニット１２０（例えば、懸架ユニット）などのハンガー手段を備える。
【０１００】
洗浄装置１００は、処理ユニット１１０によってトイレボール（又は、便器）内に分配され得る脱臭及び消毒材料（例えば、洗剤）などの洗浄材料又は組成物を保管するための貯蔵及び制御ユニット１３０をさらに備える。
【０１０１】
ある場合には、貯蔵及び制御ユニット１３０は、装置の１つ又は複数のセンサ及び／又は装置１００及び／又はコンピュータ装置又はスマート携帯電話装置などの外部装置と通信する１つ以上の外部センサから受信したデータを処理するための１つ又は複数の処理ユニットなどの制御及び処理手段を含む。処理されたデータに基づいて、処理ユニットは、スプレーユニットなどの装置ユニットを操作及び制御するように構成されている。
【０１０２】
場合によっては、装置、例えば貯蔵及び制御ユニット１３０は、１つ以上の噴霧ユニットなどの装置ユニットを作動させるための１つ以上のタイマーを含むことができる。
【０１０３】
いくつかの実施形態によれば、感知ユニットは、装置の近傍でのユーザーの動きを検出し、それに応じて装置を起動又は停止するための近接センサ及び／又は圧力センサなどの１つ以上のセンサを含み得る。センサは、例えば、ＲＦセンサ、ＩＲセンサ、圧力センサ、レーザーセンサであってもよい。場合によっては、センサは、洗浄装置の近くの臭いを検出するように構成及び有効化されたセンサである場合がある。場合によっては、センサはＩｎｔｅｒｌｉｎｋ  Ｅｌｅｃｔｒｏｎｉｃｓ  ＦＳＲＴＭ  ４００シリーズのセンサである場合がある。センサには、フォースセンシング抵抗器又はＦＳＲが含まれる場合がある。センサは、直径１８．２８ｍｍの円形センサであり得る。
【０１０４】
ある場合には、近接又はモーションセンサは、ＨＣ−ＳＲ５０５  Ｍｉｎｉ  ＰＩＲモーションセンサ又は赤外線技術に基づく他の既知のモーションセンサであってもよく、それ自体で高感度及び高信頼性で自動制御してもよい（例えばｈｔｔｐ：／／ｗｗｗ．ｅｌｅｃｒｏｗ．ｃｏｍ／ｈｃｓｒ５０５−ｍｉｎｉ−ｐｉｒ−ｍｏｔｉｏｎ−ｓｅｎｓｏｒ−ｐ−１３８２．ｈｔｒｎｌを参照）。
【０１０５】
場合によっては、貯蔵及び制御ユニット１３０は、例えば図２Ａ及び図２Ｂに示されるように便器リムの下など、便器の外部に配置される。場合によっては、外部ユニットを他の場所に配置することもできる。
【０１０６】
実施形態によれば、ブリッジ１２０は、プラスチック、ポリマー、静止又は任意の既知の弾性材料などの強くて柔軟な材料でできていてもよい。
【０１０７】
他の実施形態によれば、ブリッジ１２０は一片で作られてもよく、ブリッジ基部の側面から延びるブリッジ部分はＸ軸に対して垂直又は実質的に垂直（例えば約９０〜６０度）であってもよい。
【０１０８】
いくつかの実施形態によれば、ブリッジは、例えば、トイレボールの縁に装置を固定して保持するための丸い形状を有するブリッジの中央セクション１２１から延びる細長いセクションを含むことができる。
【０１０９】
いくつかの実施形態によれば、近接センサ、圧力センサ、又は接触又は圧力が識別されると識別又は起動されるように構成されるセンサなどの１つ又は複数のセンサをブリッジユニットに埋め込むことができる。例えば、センサ１１９は、便座に着座するユーザーなどのユーザーの圧力又は動きを識別及び感知するために中央セクションに埋め込まれてもよい。
【０１１０】
別の実施形態によれば、近接センサ１１４などの１つ又は複数のセンサは、例えば処理ユニット１１０の上側で処理ユニット１１０に取り付けられてもよく、又は装置の近くの動きを特定するために処理ユニット内に配置されてもよい。
【０１１１】
別の実施形態による、自動及び／又は自律的にトイレを洗浄するための洗浄装置１５０を示す図１Ｃ〜１Ｄを参照する。図１Ｃは装置１５０の等角側面図を示し、図１Ｄは装置１５０の等角上面図を示す。
【０１１２】
いくつかの実施形態によれば、装置１５０は、機械的エネルギーを電流に変換するための発電ユニット１６０を含む。場合によっては、発電機ユニット１６０は、例えばブリッジユニット１２６に接続されてもよく、以下に例示されるように、装置の電源（例えば、バッテリー）を再充電するための電力を転送及び／又は形成するようにさらに構成される。
【０１１３】
いくつかの実施形態によれば、ブリッジ１２６は、装置１５０のモード、例えば、スリープ／アクティブモードなどを表示する１つ以上の警告及びステータスライト又は小型スピーカーなどの１つ以上の表示ユニット１６２を備える。
【０１１４】
図１Ｅ〜図１Ｆは、実施形態による洗浄装置１５０の別の等角図を示す。洗浄装置１５０は、例えば、予備ユニット（又は、スペアユニット）３６０及び／又は噴霧アーム３９０などの噴霧ユニットに洗浄剤及び／又は流体を供給するために、貯蔵ユニット１３１から処理ユニット１１２に洗浄組成物を送達するための１つ以上のパイプ１１１を備える。場合によっては、パイプ１１１は、装置１５０の外部にあっても、部分的に外部にあってもよい。第１のパイプ１１３は、一端が装置の容器の１つ、例えば液体を含む容器４７９などの第１の容器に接続され、第２のパイプ１１５は一端が発泡材料を含む第２の容器に接続される。第１及び第２のパイプの他方の端部は、処置ユニット１１２の内側部分に取り付けられ又は連結されてもよい。
【０１１５】
パイプ１１３及び１１５の外部部分は、貯蔵ユニット１３１の背面及びブリッジ１２６の内部セクションに結合又は取り付けられてもよい。いくつかの実施形態によれば、パイプは可撓性であり、パイプの外部部分は、オーバーハングを避けるために、ブリッジの形状に沿って曲げられる。パイプはさらに処理ユニットに挿入され、１つ以上の開口部を介して液体及び／又は洗浄剤をトイレ又はトイレ周辺に噴霧するためのポンプに接続される。
【０１１６】
いくつかの実施形態によれば、パイプ１１３などのパイプの一方は、図４Ｋに示すようにトイレの内部をスペアする（sparing）ための１つ以上のパイプを介して外部スペアアーム（又は、予備アーム）３９０に消毒材料を送達し得る。一方、パイプ１１５などの他のパイプは、図２Ａに示されるように、便器表面を洗浄するために、処理ユニットで集められ、噴霧ユニット３６０の１つ以上のパイプ及びノズルを介して噴霧される流体と混合され得る洗浄材料を送達し得る。
【０１１７】
いくつかの実施形態によれば、図１Ｆに示されるように、ブリッジ１２６は、便座によってパイプが押しつぶされるのを避けるため、又はパイプへの望ましくない圧力を避けるために、平らなストライプ部分の下に位置する吊り下げ保護１２９を備えてもよい。
【０１１８】
場合によっては、ブリッジ１２６は二重密封カバー壁を備えてもよく、パイプはカバーの内側に配置されてもよい。場合によっては、１つ又は複数のパイプを含む「ビルトイン」ブリッジが提供されることがある。
【０１１９】
場合によっては、パイプは、プラスチック又は当技術分野で知られている他の材料でできていてもよい。
【０１２０】
図１Ｇは、実施形態による、洗浄装置１００の容器及びカバーの等角上面図を示す。場合によっては、バッテリーやクリーニングコンテナなどの装置ユニットを装置から簡単に取り外して、装置に挿入して戻すことができる。例えば、装置は、フレーム及び可聴又は物理的な「クリック」タイプ確認部１１７又は適切なシールが確保されるように容器１１６を一致するキャビティ１１６’に確実に係合させることができる他のユニットを含むことができるエアロゾル容器１１６などの容器を含むことができる。
【０１２１】
ある場合には、貯蔵及び制御ユニット１３０は、例えば、キャビティ１１８’などの貯蔵及び制御ユニット１３０に保管された１つ以上の電池又は他の要素を側面から覆うための取り外し可能なカバー１１８を含み得る。場合によっては、カバー１１８及びコンテナ１１６は、コンテナのカバー内に配置されたバッテリー、エアロゾルなどのタイプの要素を説明する印刷されたサインオンの画像を含むことができる。
【０１２２】
図２Ａは、実施形態による、便器リム２４０に吊るされた図１の装置１００又は１５０の上面等角図を示す。場合によっては、装置１００又は１５０は、例えば便器リム２４０のセクション２２５の表面に沿ってブリッジユニット１２０を吊り下げることにより、便器リム２４０から吊り下げられ得る。
【０１２３】
いくつかの実施形態によれば、ブリッジ１２０などの装置ユニットは調整可能であり、任意のタイプ又はサイズのトイレに配置又は取り付けられるように構成される。
【０１２４】
具体的には、ブリッジユニット１２０は、好ましくは異なるタイプの便器の幾何学的形状を収容するための平坦なストライプセクション１２２と、平坦なストライプセクションから延在し、便器リム２４０の内側及び外側に沿って折り畳まれるように構成される２つの可撓性セクションとを備える。例えば、図１Ｃに示されるように、セクション１２２から延びる第１の可撓性セクション１２３は、便器リム表面２４０に対して便器リム表面の外側に向かって下向きに垂直に又は実質的に垂直に（例えば、６０〜９０度の間）曲げられてもよい。第１の可撓部１２３は、貯蔵及び制御ユニット１３０に接続され、図２Ｂ及び２Ｃに示されるように、便器リム表面２４０と平行又は下方に貯蔵ユニット１３０を保持することができる。ブリッジユニット１２０は、平らなストライプ部分１２２の他端から便器リムの内部に向かって下方に延びる第２のストリップ部分１２４をさらに備える。第２の可撓性セクション１２４は、処理ユニット１１０を接続し、好ましくは便器リム２４０から離して保持することができる。図２Ａに示され、図５Ａ及び図５Ｂにさらに示されるように、フラットストライプセクション１２２から延びる第２のストリップ部分１２４の第１の部分１２７は、平坦な部分１２２に対して垂直に曲げられ、
一方、第１の部分１２７から延びる第２の部分１２５は、例えばリム２４０の洗浄水経路において洗浄モジュールを移動させるために、軸Ｙに対して０〜４５度の角度αでトイレリムから外側に曲げられる。したがって、フラッシング動作中の便器内面の側壁でのフラッシングは、効率的に蓄積されるか、少なくとも一時的に処理ユニット１１０で大量のフラッシング液を保持する。
【０１２５】
いくつかの場合、図２Ｃに示すように、装置が便器リムに配置されると、装置は便座２５０で覆われ、装置１００と使用者との間の直接接触を回避し得る。
【０１２６】
次に、いくつかの異なる実施形態による、処理ユニット１１０の多数の等角図を示す図３Ａ〜３Ｊを参照する。
【０１２７】
図３Ａに示すように、処理ユニット１１０は、ハウジング内に配置された容器３２１などの１つ又は複数の流体リザーバを覆い保持するためのハウジング３１１を備える。容器３２１は、例えば開口部３２０などの１つ以上の開口部又は孔部を介してトイレの洗浄タンクから洗浄する淡水などの流体を蓄積するように構成される。
【０１２８】
いくつかの実施形態によれば、開口部３２０は、ハウジングの右上に形成されてもよく、三日月形を有してもよい。場合によっては、開口部の幅のサイズは、１０〜３０ｍｍ、例えば１８ｍｍである。場合によっては、開口部は他の形状とサイズを持っている。
【０１２９】
ハウジング３１１は、当技術分野で知られている方法（例えば、真空圧、接着剤、又は取り付けピン３８４など）に従って互いに取り付けることができる２つのカバー部品３２２及び３２４などのいくつかのカバー部品を含むか、又はそれらから作られ得る。いくつかの実施形態によれば、ハウジング３１１は、トイレの洗浄タンクからフラッシュされる淡水などの流体が集まり、開口部３２０に流れ込むか、トイレを洗い流すことができるように凸形状である。
【０１３０】
いくつかの実施形態によれば、ハウジングは、例えば２つの凸状の側面Ａ及びＢを有する１つの部品から作製されてもよい。
【０１３１】
処理ユニット１１０は、洗浄組成物及び／又はフラッシングタンク流体（例えば、容器３２１に蓄積された流体）などの流体を分散（又は、噴出、噴霧）させるための第１噴霧ユニット３６０（例えば、底部噴霧ユニット）などの１つ又は複数の噴霧ユニットをさらに備える。第１の噴霧ユニット３６０は、便器の完全な洗浄及び消毒が達成されるまで、何回か所定の間隔に従って内部の便器の周囲全体に典型的には洗浄組成物（例えば洗剤）を含む流体を噴霧するように構成及び有効化される。
【０１３２】
この実施形態では、外部アーム３６１は、処理ユニット１１０の長さに沿って、例えば処理ユニットの中心で実質的に長い細長いチャネルを形成する細長い溝３９９に配置される。場合によっては、外部パイプは折り畳まれ、開口部３６１を介してハウジング３１１の外に延びる。
【０１３３】
動作中、外部パイプは、図３Ｆに示すように、消毒ユニットをキャビティ全体又は実質的に内部キャビティ及びトイレボールの外周の全体に３６０度（全方向）に広げるために、処理ユニットの長さ（例えば、Ｘ軸）に対して垂直（例えば、０〜１２０度）に、処理ユニットから離れるように回転する。
【０１３４】
いくつかの実施形態によれば、噴霧ユニット３６０は、処理ユニット１３０の中心又は中心付近に形成された（例えば、切り欠かれた）細長い溝３９９に配置される。
【０１３５】
場合によっては、細長い溝３９９は、例えば、処理ユニット１１０の中心、又は実質的に中心付近において、周囲の周りのハウジングの中心で便器内面に面する処理ユニットの前側の側面Ａのハウジングの外面に長手方向に形成されてもよい。
【０１３６】
場合によっては、溝３９９は、１〜４０ｍｍの深さを有し、ハウジングに沿ってハウジング内で長方形として成形されてもよい。
【０１３７】
例えば、図２Ａに示すように、便器を効率的に洗浄するために、内部便器の周囲全体にスプレーユニット３６０によっていくつかの流れ（すなわち、矢印２４１）が向けられる。いくつかの実施形態によれば、細長い溝３９９は、ハウジング３１１（図３Ｇにも示される）に沿って切り欠かれたレール３６２を含み、１つ以上のノズルがハウジング３１１内部のレール３６２内に埋め込まれるか結合される。１つ以上のノズルが、洗浄組成物をトイレに噴霧しながらレール３６２に沿って前後に移動し及び／又は回転するように構成される。場合によっては、レール３６２をいくつかのセグメントに分割し、ノズルをこれらのセグメントに沿って埋め込むことができる。例えば、図３Ｂに示されるように、噴霧ユニット３６０は、処理ユニットハウジング内に配置された多数のそれぞれのノズル３６１’’、３６３’’、３６５’’及び３６７’’が洗浄ユニット（洗剤など）をトイレの内部にスプレーすることを可能にするように溝３９９に沿って形成された４つの開口３６１、３６３、３６５及び３６７などの多数の開口を含み得る。場合によっては、ノズルは、例えばレール３６２に固定される。場合によっては、レール３６２は、セクション３６３’、３６５’及び３６７’などの３つ以上のセクションにそれぞれ分割され、ノズルは、セグメントに沿って前後に移動して、例えば、便器のいくつかの部分に同時に噴霧し得る。
【０１３８】
場合によっては、ノズル３６１’’、３６３’’、３６５’’、及び３６７’’のそれぞれは、ハウジング３１１内で凝集した流体のスプレーへの分散を促進するように構成される。ノズルは、例えば便器の領域全体に洗浄剤と混合された凝集流体を分配し、液体表面積を増やし、固体表面に衝撃力を生成するために使用される。
【０１３９】
場合によっては、ノズルは、固体円錐単一流体ノズル、複合ノズル、及び当技術分野で知られている他のノズルなどのスプレーノズルであってもよい。
【０１４０】
いくつかの実施形態によれば、ノズルは、１つ以上のステップモーターなどの１つ以上のモーターによって、又は流体圧力手段によってレールに沿って移動及び回転することができる。
【０１４１】
場合によっては、専用モーターを使用せずにノズルが自律的に移動及び回転し得る。
【０１４２】
場合によっては、ノズルは、１つ又は複数のばね、流体圧力手段、化学反応、空気圧などのノズルを移動及び回転させるように構成された１つ又は複数の手段によって移動又は回転し得る。
【０１４３】
場合によっては、処理ユニット１１０は、レールに沿って前後に移動するように構成された単一のノズルを含むことができる。
【０１４４】
場合によっては、噴霧ユニットは、便器全体の内部に洗浄組成物（例えば、洗剤）の有無にかかわらず、蓄積した流体を噴霧してもよい。
【０１４５】
いくつかの実施形態によれば、図３Ｉに示すように、処理ユニット１１０は、例えば全方向（例えば３６０度）に同時に、消毒及び／又は発泡材料などの洗浄材料を便器の内部に噴霧するように構成される追加の噴霧ユニット３５９を含む。噴霧ユニット３５９は、例えば、例えば細長い溝３９９に配置され得る細長い円筒形パイプの形態の細長いアームを含み得る。休止モードでは、パイプは溝内に隠される。一度作動すると、パイプは外側に、例えば処理ユニットの長軸に垂直に回転する。
【０１４６】
いくつかの実施形態によれば、処理ユニット１１０の長さは、１００ｍｍから２００ｍｍの間、例えば１７０ｍｍの長さと、５０ｍｍから１００ｍｍの間の高さ、例えば７１ｍｍとすることができる。円筒形パイプ３６１は、例えば、長さ９０ｍｍで５０ｍｍから１００ｍｍの間であり、溝３９９は、例えば、長さ１６０ｍｍで、長さ６０ｍｍから１９０ｍｍの間であり得る。
【０１４７】
次に、処理ユニット１１０の等角上面図を示す図３Ｃ〜３Ｄを参照する。図３Ｃは、処理ユニットの等角断面図を示し、一方、図３Ｄは、処理ユニット１１０の等角外部側面図を示す。実施形態によれば、処理ユニット１１０は、固体洗浄剤３８７を保持するためのバスケット３８９などの１つ又は複数のバスケットを含む。場合によっては、バスケット３８９は、開口部を介して流体１０１が処理ユニットキャビティに流れ込むことを可能にする複数の穴を含むことができる。具体的には、動作時に、ハウジングキャビティに貯蔵された流体１０１は固体洗浄剤３８７と混合され、後にトイレ（例えば、トイレボール又はトイレ周辺）を洗浄するために噴霧される洗浄液を形成する。
【０１４８】
図３Ｅ〜３Ｈは、別の実施形態による処理ユニット３１０を示している。具体的には、図３Ｅ〜３Ｆは、それぞれ、他の実施形態に従う処理ユニット３１０の等角外側上面図及び側面図を示し、図３Ｇは、処理ユニット３１０の内部ユニットの等角図を示し、図３Ｈは、処理ユニット３１０の内部ユニットの図を示す。処理ユニット３１０は、ポンプ３８０などの１つ以上のポンプ、パイプ３７１及び３７３などの入口及び出口パイプ、噴霧ノズル３６１’’、３６３’’、３６５’’、３６７’’などの１つ以上のノズル、モーター３９５、歯車３９２及び３９３などの１つ以上のモーター及びエンジン、外部噴霧アーム３９０、及び処理ユニット３１０の内部ユニットを保持するための１つ又は複数のソケットを含む。
【０１４９】
いくつかの実施形態によれば、ポンプ３８０などの１つ又は複数のポンプは、それぞれの開口部３６１、３６３、３６５、及び３６７を介して、便器に（例えば、トイレの内部に）に汲み上げた流体を噴霧するためのノズル３６１’’、３６３’’、３６５’’、３６７’’に、１つ又は複数の入口パイプを介してポンプ３８０へ及びポンプからハウジング３１１のキャビティに蓄積及び貯蔵される流体を汲み上げる（例えば吸う）ように構成及び有効化される。いくつかの場合には、流体は、容器３２１又は処理ユニット３１０のキャビティで、貯蔵及び制御ユニット１３０からパイプ３７１を介して移送された洗浄剤又は処理ユニットキャビティ中に置かれた固体又は液体洗浄剤などの洗浄剤と混合した流体などのフラッシングタンク流体を含む。
【０１５０】
いくつかの実施形態によれば、外部アーム３９０などの１つ以上の外部パイプは、処理ユニット３１０の底部外側、例えば処理ユニット３１０の外側下面３９１に取り付けられ、貯蔵及び制御ユニット１３０からのエアロゾル及び／又は消毒剤などの１つ又は複数の材料又は組成物を送達し、１つ又は複数の材料又は組成物（例えばエアロゾル及び／又は消毒剤）を便器の周囲（便器の表面、便座など）に噴霧するためのパイプ３７３などの１つ以上のパイプの１つを介して接続されてもよい。
【０１５１】
場合によっては、外部パイプ３９０は、軸Ｘ−Ｙ−ＺのＸ−Ｙ軸又はＸ−Ｚ軸に沿って上下に又は側面に回転して、トイレ又はトイレ周辺の隠れた場所を効率的に掃除することができる。場合によっては、図３Ｇに示すように、外部パイプ３９０は、モーター３９５に連結された１つ又は複数の歯車３９２及び３９３を使用して、表面ＸＹに沿った軸Ｙに対して０〜１８０度回転するように構成される。モーター３９５は、プロセッサから受信した１つ又は複数の指示に従って、トイレボールキャビティ及び／又は特定の場所に消毒材料などの１つ又は複数の材料又は組成物を自動的に噴霧するように、歯車３９２及び３９３を回転させて、さらに、外部アーム３９０を回転させる。いくつかの場合、外部アーム３９０は、消毒材料などの１つ又は複数の材料がトイレ又はトイレの表面に噴霧されている間に、処理ユニットに対して側面／上／下（例えば３６０度）に回転させられ得る
【０１５２】
場合によっては、スプリンクラー又はスプレーノズルなどのスプレーユニット３９６を、外部アーム３９０の遠位端に連結して、１つ又は複数のノズル穴を介して上向き（例えば、Ｚ軸方向）にトイレボールキャビティ又はトイレ周辺に向けて消毒材料をスプレーすることができる。
【０１５３】
ある場合には、図３１に示すように、外部アーム３９０を回転させ、処理ユニット３１０の長さに対して垂直（例えば６０〜９０度）に配置することができ、この場合、ノズルスプレーを含む外部パイプの遠位端は、消毒材料を生成してキャビティ全体又は実質的にトイレの内部キャビティ全体及び便器の外部周囲で３６０度（全方向）に拡散するために、便器キャビティの中心に配置され得る。
【０１５４】
図３Ｈに示されるいくつかの実施形態によれば、各ノズルは、１つ以上の開口部３８３及び３８５を含む噴霧ヘッド３８１を含み得る。いくつかの場合、各ノズルは、いくつかの個々の単一のノズル又は２流体ノズルが１つのノズルボディに組み込まれた複合ノズルであり得る。これにより、液滴サイズとスプレーカバレッジ角度を設計制御できる。他の実施形態によれば、他のタイプのノズルが使用されてもよい。
【０１５５】
次に、実施形態による、貯蔵及び制御ユニット４３０の等角上面図及び側面図を示す図４Ａ及び４Ｂを参照する。通常、貯蔵及び制御ユニット４３０は、便器の外側で外部から連結されるが、例えば便器の内部又は他の場所に貯蔵ユニット４３０を配置するために、他の多くの変形及び適合を使用できる。貯蔵ユニット４３０は、例えば、トイレボールの外側に近接して前方に吊り下げられるように構成された第１の凹状サイドカバー４１２と、凸形状であり得る第２の適合サイドカバー４１３とを有するハウジング４１０を備える。ハウジング４１０は、例えば、トイレを洗浄及び／又は発泡及び／又は消毒するための液体又は粉末又は固体材料の形態の洗浄及び消毒材料を自動又は手動で補充できる１つ又は複数の容器を含むキャビティを含む。
【０１５６】
例えば、いくつかの実施形態によれば、ハウジングの上部又は側部には、１つ以上の内部容器を密封するために１つ以上のカバーによって密封可能な１つ以上の補充開口が含まれる。例えば、ハウジング４１０は、貯蔵ユニット１３０の上側に配置された２つのシール可能な開口部４７２及び４７４を含むことができ、例えば容器４７８及び４７９を１つ以上のクリック手段でシールするために使用することができる整合カバー４７２’及び４７４’によって覆うことができる。
【０１５７】
場合によっては、コンテナ４７８及び４７９などの装置ユニットは、装置から容易に解放可能であり、装置に挿入して戻すことができる。例えば、容器４７８及び４７９は、適切なシールが確実に固定され、可聴又は物理的な「クリック」タイプ確認を提供するために、本体及び／又はフレームに確実に係合できるフレーム又は他のユニットを含むことができる。
【０１５８】
いくつかの実施形態によれば、装置は、例えば、装置１００の電源をオン及びオフにするように構成された円形又は正方形のボタンのような形状の、貯蔵及び制御ユニット１３０に設置されるボタン４２５などの１つ以上の電源ボタン又はスイッチを備える。通常、ボタンを押すと装置の電源が入り、ボタンをもう一度押すと電源が切れる。場合によっては、装置は、装置をオン又はオフにするためのユーザーコマンドを識別するための音声認識手段を含む１つ又は複数のセンサを含んでもよい。場合によっては、１つ又は複数のボタンは、ブリッジ１２０及び／又は処理ユニット１１０などの他のユニット上に配置され又は接続されてもよい。
【０１５９】
図４Ｃは、実施形態による、貯蔵ユニット３３０の内部に位置するユニットの等角図を示す。貯蔵及び制御ユニット３３０は、第１及び第２のポンプ４５２及び４５４などの１つ又は複数のポンプと、処理ユニット４３１及びメモリユニット４３３などの１つ又は複数の処理ユニット及び電源４９９を含むＰＣＢなどの回路基板４３２とを備える。場合によっては、貯蔵及び制御ユニット３３０は単一のパイプを含む。
【０１６０】
処理ユニット４３１は、人間の介入なしに自動的かつ自律的にトイレを洗浄するために装置ユニットを制御するように構成される。動作中、処理ユニットは、例えば装置の１つ以上のセンサなどの装置ユニットから受信した１つ以上の表示を含む装置ユニットからデータを受信し、データを処理して装置ユニットを適宜制御するための出力データを生成する。
【０１６１】
場合によっては、処理ユニット４３１は、前記センサから移動又は圧力の指示を受け取り、前記センサの指示に従って便器の内面に流体を噴霧するために装置噴霧ユニットを作動させるように構成及び有効化される。
【０１６２】
場合によっては、処理装置は、洗浄容器又はカートリッジで低洗浄材料の指示を受け取り、それに応じて、容器又はカートリッジを補充するようにユーザーを更新することができる。場合によっては、プロセッシングユニットは、「低材料」又は「低カートリッジ」ステータスインジケータライト、又はそれらを解読するためにマニュアルを参照することをユーザーに求める一連の点滅ライトの形で警告又は表示を提供する場合がある。
【０１６３】
場合によっては、処理ユニットは、クリーニングトナーレベルが低いときに、ユーザーコンピュータ画面又はモバイル装置にポップアップ通知を起動することがある。
【０１６４】
場合によっては、装置は、サーバー及びスピーカーなどの他のユニットと通信してユニット装置のステータスに関する情報を提供するように構成された通信モジュールを備える。
【０１６５】
場合によっては、通信モジュールは、収集されたデータを、通信装置から送信されたデータを分析するように構成されたクラウドベースのサーバー、及びクラウドベースのサーバーから分析結果を受信するように構成された装置に送信するように構成されている分析結果をユーザーに提示する。
【０１６６】
場合によっては、情報には、装置の容器内の洗浄剤の量や電力レベル（低、高など）が含まれる。
【０１６７】
場合によっては、処理ユニットは、例えば通信モジュールによって自動的に及び／又は自律的に命令を送信して、容器を補充するか装置を再充電することができる。
【０１６８】
ポンプ４５２及び４５４などのポンプは、それぞれ第１のタイプの洗浄及び／又は滅菌組成物及び第２のタイプの洗浄及び／又は滅菌組成物を送達するように構成される。例えば、第１のタイプの洗浄又は滅菌組成物は、香料組成物、水着色組成物、非粘着性組成物、漂白組成物、泡発生組成物、良好なファイリング及び陶酔組成物、フェロモン、苛性組成物であり得る。第２のタイプの組成物は、トイレの消毒用のアルコール組成物であってもよいし、それを含んでもよい。貯蔵ユニット１３０は、１つ以上の電池４９９を含むケース４９７をさらに含む。
【０１６９】
動作中、開口部は、パイプ及び／又はポンプ（例えば、ポンプ４５２及び４５４及びパイプ４７１及び４７３）などの移送手段によってブリッジユニット４２０を介して処理ユニットにさらに送られる洗浄化学物質又は液体で再充填（リフィル）され、適切な化学物質又は洗浄液を便器の内面又はトイレ周辺（便座）に噴霧して、洗浄プロセスを実行する。
【０１７０】
場合によっては、洗浄剤（例えば消毒剤）は、貯蔵及び制御ユニット４３０の容器４５３などの装置容器内に配置されるように構成された１つ以上の専用補充カートリッジに含まれてもよい。例えば、カートリッジは、貯蔵及び制御ユニット内に含まれる固定具に取り外し可能に取り付けることができる。
【０１７１】
場合によっては、カートリッジは、例えばナイロンで作られた密封部分によって密封された１つ又は複数の開口部を含む。図４Ｄに示すように、カートリッジが専用容器４５３に取り付けられると、ピン４３５などの１つ以上のピンがカートリッジに穴を作成し、クリーニング材料がカートリッジから押し出され、１つ又は複数のパイプを介して装置ポンプに、さらには洗浄剤を便器のキャビティに噴霧するために、ノズル及び／又はスプレーアームなどのスペアユニット（又は、予備ユニット）に流れる。
【０１７２】
場合によっては、洗浄組成物は、感染を防ぐように構成及び有効化された化学物質であってもよく、又は化学物質を含んでもよい。組成物は、香料組成物、水着色組成物、非粘着性組成物、漂白組成物、泡生成組成物、良好なファイリング及び多幸感組成物、フェロモン、苛性組成物のうちの１つ以上をさらに含み得る。組成物は、ジェル、錠剤、液体、粉末、又は当技術分野で知られている任意の他の形状の材料の１つの形態であってもよい。
場合によっては、
【０１７３】
装置は、香料又は泡組成物の量、色、強度を制御するための材料及び／又はユニットを含んでもよい。
【０１７４】
例えば、装置は、トイレの処理プロセスの一部として、所定の間隔に従って（例えば、プロセッサユニット４３１によって）化学物質の注入をスケジューリングすることができる。処理プログラムには、例えば次の順序による処理スケジュールが含まれる。
ａ．軟化剤材料  ｂ．消毒剤  ｃ．ホワイティング材料  ｄ．スティック防止材料  ｅ．香水材料  ｆ．色材  ｇ．発泡材料．
処理スケジュールは異なる順序でも、追加の資料を含んでもよい。
【０１７５】
いくつかの実施形態によれば、化学材料組成物は、着色反応を提供するように構成される。
【０１７６】
場合によっては、処理化学物質は、化学反応を制御する特定の化学物質を使用することにより、ゆっくりと分解するように構成される。
【０１７７】
多くの実施形態では、装置はまた、電源（例えば、１つ以上の電池４９９）及び１つ以上の電源カバー４９８を含む。いくつかの実施形態において、装置１００は、外部電源からの電源によって電力供給される。いくつかの実施形態では、装置１００は独立した電源を有する。
【０１７８】
いくつかの実施形態では、電池４９９は、貯蔵ユニット１３０内に配置されてもよい。例えば、図４Ａに示されるように、外部カバー４１３は、ユーザーが１つ以上の電池４９９を挿入するためのアクセスを提供するように、扉開きできる又は交換可能に取り外し可能な１つ以上の可動電池カバー４９８を含んでもよい。１つ以上の電池４９９は、１つ以上の単回使用電池であってもよいし、ユニット１００を動作させるための電源を提供する充電式電池であってもよい。
【０１７９】
いくつかの実施形態において、貯蔵及び制御ユニット４３０は、ブリッジユニットの一部を受容するように構成された接続スリーブ４８９を備えるホルダー４８８などの接続手段によってブリッジユニット１２０に接続されてもよい。図４Ａは、ブリッジ１２０の一部をブリッジホルダー４８８に滑り込ませることによって実行される方法を示しているが、当業者は、装置１００ユニットを互いに接続するための他の多くの変形及び適合を認識する。
【０１８０】
いくつかの実施形態によれば、容器４５３などの貯蔵及び制御ユニットの容器は、１００〜８００ｍｌ、例えば４００ｍｌの容積を有してもよい。
【０１８１】
場合によっては、貯蔵及び制御ユニット４３０の長さは、１００〜２００ｍｍ、例えば１７０ｍｍ、高さは５０〜１５０ｍｍ、例えば９４ｍｍ、幅は３０ｍｍ〜１００ｍｍ、例えば、６５ｍｍであり得る。
【０１８２】
場合によっては、貯蔵及び制御ユニット４３０は、電源４９９を保持するための容器又はハウジングＦを含むことができる。
【０１８３】
次に、実施形態による、ブリッジユニット５２０の等角上面図を示す図５Ａ及び５Ｂを参照する。ブリッジユニット５２０は、場合によっては、便器リム２４０のセクション２２５の表面に沿って吊るすことができ、装置１００又は装置１５０の処理ユニット１１０及び貯蔵及び制御ユニット１３０を便器リム２４０の側部下部に保持することができる細長い柔軟なストリップとして成形される。ブリッジユニット５２０は、第１の予備ユニット３６０及び／又は外部アーム３９０などの噴霧ユニットに洗浄材料（例えばエアロゾル及び他の薬剤）及び／又は流体を送達及び供給するために、例えばブリッジユニット５２０の表面に取り付けられた１つ以上のパイプ（例えば、パイプ４７３及び４７１）を備える。
【０１８４】
いくつかの場合では、パイプは、プラスチック又は当技術分野で知られている他の材料でできていてもよい。
【０１８５】
パイプの代わりに、又はそれに加えて、装置１００は、処理材料及び／又は流体を噴霧ユニット３６０又は３９０に供給するための装置内部ユニットの一部として内部に形成される１つ以上のチャネル又はパイプを含み得る。場合により、材料は空気圧手段により配送される。
【０１８６】
具体的には、ブリッジ５２０は、好ましくは異なるタイプの便器の幾何学的形状を収容するように構成されたフラットストライプセクション５２２と、内側及び外側に沿って折り畳まれるように構成されたフラットストライプセクションの両端から延びる２つの可撓性セクションとを備える。例えば、セクション５２２から延びる第１の可撓性セクション５２３は、便器の外側で下向きに、便器のリム表面に対して垂直に、又は実質的に垂直に（例えば、６０〜９０度の間）曲げられてもよい。
【０１８７】
いくつかの実施形態によれば、第１の可撓性セクション５２３の遠位端５１０は、ブリッジホルダー４８８内にスライドし、便器リムの外側及び下で貯蔵ユニット１３０を保持するように構成及び有効化される。ブリッジユニット５２０を外部及び／又は処理ユニットに接続するために、他の方法及び構成を使用できることに留意されたい。
【０１８８】
ブリッジユニット５２０は、フラットストライプセクション５２２の遠位端から便器の内部に向かって下向きに延びる第２の湾曲セクション５２４をさらに備える。第２のセクション５２４は、処理モジュールに接続され、便器リム２４０の下に処理モジュールを保持するように構成及び使用可能にされる。
【０１８９】
いくつかの構成によれば、ブリッジユニット５２０は、便器を洗浄及び消毒するためのエアロゾルユニットなどの第２の噴霧ユニット５９０（例えば、上部噴霧ユニット）を含み得る。第２の噴霧ユニット５９０は、１つ以上のパイプを介して貯蔵ユニット１３０に接続され、ボール内面にエアロゾルを噴霧するように構成及び有効化されるノズル５９２などのノズルなどの１つ以上の噴霧装置を含み得る。
【０１９０】
いくつかの実施形態では、第２の噴霧ユニット５９０は、便器の上面、例えば、ノズル３６３，３６６及び３６９で噴霧できない便器の領域に直接噴霧できるように、第２の湾曲部５２４の遠位端に配置されてもよい。図２Ｂ及び２Ｃに示されるように、第２の噴霧ユニットは、便座２５０又はトイレスペース上の複数のノズルを介して洗浄剤（流れ２４４など）及び／又は消毒剤を噴霧するように構成及び使用可能にされる。
【０１９１】
場合によっては、ブリッジユニット５２０は、上部５２５の外面に配置されたインジケータユニットなどの１つ又は複数のインジケータユニットを含むことができる。インジケータユニットは、システムのステータス（例：オン又はオフ）又はどのユニット（例：上部又は下部スプレーユニット）が現在アクティブになっているかを示すＥＤ５９３、５９４などの１つ又は複数のライトを含むことができる。
【０１９２】
いくつかの実施形態によれば、ブリッジユニット５２０は、例えば、装置の電源、例えば、バッテリー４９９を充電するために水力発電を行うための水力発電ユニット５４０などの発電手段を備えるか、それに接続される、それにより例えば、ＬＥＤ５９３，５９４などの装置の電子ユニットを動作させるための電力を提供する。水力ユニット５４０は、機械的回転をパルス電流に変換するために水車などの１つ以上の電線の回転コイルを含む。例えば、いくつかの構成によれば、第２のストリップセクション５２４は、ブリッジの上部５２５に対して３０〜６０度の間で湾曲する「Ｔ」字形部分５２６を含む。「Ｔ」字形部分５２６は、第２のストリップセクション５２４から側部に延在し、それぞれピン５６９を使用してホイール（車輪／水車／車）５４５などの１つ又は複数の発電機ホイールを保持するように構成される２つのアーム５４２及び５４４を含む。図５Ｃに示す実施形態では、部分５２６を処理ユニット１１２の開口部３２０の側面に取り付けることができ、ホイール５４５を処理ユニット１１２のキャビティに部分的又は完全に挿入することができる。
【０１９３】
図５Ｄは、実施形態による水車５４５の側面図を示す。水車５４５は、ピボット５６１、いくつかのキャビティ５６６、及びホイールの円周リムの周りに取り付けられ、ある距離だけ移動するまでキャビティ５６６の端部からの流体の流出を防止するブレード５６７を含む八角形の形状であってもよい。
【０１９４】
動作中、トイレの洗浄液は、処理ユニット１１２の開口部３２０を介して水車のブレードに向けられ、ブレードに力を作り出す。このようにして、エネルギーが水流からホイール（タービンなど）に伝達され、水タービン（ペルトンホイールなど）の動作方法で水力発電が行われる。
【０１９５】
あるいは、又は組み合わせて、ホイール５４５などのホイールは、トイレの使用が完了したかどうか、及び、フラッシング時間に応じて使用のタイプを示すために、トイレの洗浄水の速度又は状態（例えば、洗浄時間）を測定する測定ユニットなどの計器として使用できる。トイレの洗浄速度及び時間などの表示は、適切な洗浄プロセスを適宜起動するために、１つ又は複数の処理ユニットに送信されてもよい。例えば、トイレの短期使用の表示は、例えば洗浄ユニット３６０による第１の洗浄プロセスを短時間活性化し、一方、トイレの長時間使用の表示は（例えば、長い時間の洗浄の表示の結果として）トイレ及び／又は洗浄ユニットを長い時間消毒するために、回転可能な洗浄アームが自動的に作動する。
【０１９６】
あるいは、又は組み合わせて、装置は、非限定的な例として、ステッピングモーター、空気圧手段、バネ圧手段、化学反応マン、機械式又は電気式の圧力増幅器回転モーター又はシステムのノズルやセンサなどのシステムクリーニングユニットを起動するように構成されたモーターの１つ又は複数を含む他のエネルギー発生器及びモーターを含んでもよい。
【０１９７】
いくつかの実施形態によれば、ブリッジユニット５２０の寸法は、中央セクション（すなわち、平坦なストライプセクション５２２）で１００ｍｍなど５０〜１３０ｍｍの長さであり得、片側（すなわち、第２のセクション５２４）で５０〜１００ｍｍ、例えば９０ｍｍ延在し、他の延長セクション（すなわち、セクション５２３）で５０〜１００ｍｍ、例えば６０ｍｍ延在し得る。場合によっては、ブリッジの幅（セクション５２２）は約３０〜５０ｍｍ、例えば４０ｍｍである。
【０１９８】
ここで、実施形態に従って、自動的に及び／又は自律的にトイレを洗浄及び／又は泡立て及び／又は消毒するための方法６００のフローチャートを示す図６を参照する。ステップ６１０では、図１〜図５に示すトイレ洗浄装置などの処理装置が提供され、最初に洗面所器具、すなわちトイレの縁に設置される。通常、装置の初期状態又は「デフォルト」状態は「スリープモード」で、装置が非アクティブ化されるか、低電力モードになる。場合によっては、装置の特定の状態を示すために、１つ又は複数の制御ライトが動作し得る。例えば、１つ以上のライトが光の色（例えば、緑−「アクティブ」−赤「非アクティブ」）に従って装置のモードを表示するために便器の内面を照らす。ステップ６２０で、動き及び／又は圧力及び／又はトイレの色の変化及び／又は便座の動き及び／又は１人又は複数のユーザーの声など、１つ又は複数のトイレ使用表示が識別される。いくつかの実施形態によれば、指示は、１つ以上のセンサ、例えば電子圧力センサ又は距離センサ、又は生物学的センサ（例えばＰＨセンサ）、又は、便座に着座するユーザーなどのユーザーの圧力又は動きを識別し、感知するためのブリッジユニット１２０に埋め込まれたセンサ１１９などの圧力検出センサ、又は本明細書で上述したセンサ又は当技術分野で知られている他のセンサなどの他のタイプのセンサによって監視又は識別される。センサは、特定のトイレの使用を識別し、それに応じて、受信したデータに基づいて処理装置１００を作動させるプロセッサユニット（例えば、プロセッサユニット４３１）にデータ（例えば、１つ以上の表示を含む）を提供するように構成される。
【０１９９】
ステップ６３０で、データ（例えば、動き、圧力又は色、便座の動きなどの特定の指示）が処理ユニットによって分析され、その後、処理出力に従って、装置状態が「作動準備完了」状態に移行し、又は、「スリープモード」に戻る。次の条件付きステップ６４０で肯定的であり、１つ以上の処理ユニット（センサの表示に基づいてトイレの使用タイプを具体的に識別するように構成されている）によって、クリーニングプロセスが必要であると判断された場合、装置は「アクティベーション」モードに移行する。指示が見つからなかった場合、装置モードはスリープモードに戻る。場合によっては、識別された指示に従って、１つ又は複数の表示ライトが作動ライト（緑色など）に点灯し、及び／又は音声ハザードが作動する。例えば、（ステップ６６０に示されているような）第１の洗浄手順に対する黄色の表示と（ステップ６７０に示されているような）第２の手順に対する緑色の表示がある。ステップ６５０で、装置が起動され、処理されたデータに基づいてクリーニング手順が開始される。
【０２００】
洗浄プロセスは、いくつかの実施形態によれば、以下のステップを含む：
ステップ６６０で、底部噴霧ユニット３６０が作動され、ノズル３６１’’、３６３’’、３６５’’及び３６７’’などの１つ以上のスペア手段が自動的に例えば、処理装置に貯蔵された１つ以上の処理材料／洗浄剤（例えば、固体材料３８７）と混合された容器３２１に蓄積及び／又は貯蔵された流体などの流体を噴霧する。噴霧は、ポンプ３８０などのポンプ手段の使用を含むことができる。そのような噴霧手順の例が図２Ａに示されている。
【０２０１】
場合によっては、ノズル３６１’’、３６３’’、３６５’’、及び３６７’’などの１つ以上のノズルは、レール３６２に沿って自動的に移動及び／又は回転し、例えば容器３２１に貯蔵された流体を処理装置に保管された処理材料／洗浄剤とともに噴霧する。
【０２０２】
いくつかの実施形態によれば、処理材料／洗浄剤は、以下の順序で噴霧される以下の材料を含んでもよい：
ａ．材料のクリーニングとホワイティング  ｂ．スティック防止材料  ｃ．発泡材料  ｄ．色材  ｅ．香料素材
洗浄手順は、異なる順序に従って他の材料の使用を含んでもよいことに留意されたい。
【０２０３】
処理材料は、例えば、塩素、エーテル油、着色材料、例えば清浄なアルコール又は他の消毒材料を含む消毒材料のうちの１つ以上を含んでもよく、固着防止材料については、シリコン又はテフロン（登録商標）材料を使用してもよい。
【０２０４】
場合によっては、処理材料は、例えば、処理ユニット容器に保存され得る水フラッシュにより、ノズルを介して水圧手段により噴霧される。
【０２０５】
場合によっては、洗浄プロセスは、例えば、１、２、３、４、５、６、７、８、９、１０、１１、１２、１３、１４、１５、１６、１７、１８、１９又は２０秒以上の所定の時間間隔の間続くことがあり得る。
【０２０６】
場合によっては、本明細書で上記に例示したような洗浄手順を含む洗浄マトリックスに従って洗浄プロセスを繰り返すことができる。
【０２０７】
いくつかの実施形態によれば、処理ユニットから受信した情報又はデータ表示に従って、洗浄マトリックスを作動させることができる。情報は、トイレ又はトイレ室又はトイレ領域の画像（例えば、便器又はトイレ周辺）又はトイレ領域のマッピングを含んでもよい。処理ステップは、トイレの場所の１つ又は複数の画像の比較（例えば、トイレの使用の前後）、又はトイレ画像と白色画像又は他の色参照などの画像参照との比較を含み得る。
【０２０８】
場合によっては、マトリックスは、トイレを洗浄マトリックスによって表されるいくつかのセクションに分割することを含むことができ、処理ステップは、識別したセクションのステータスに従って追加又は特定の処理を必要とするマトリックスセクションの１つ又は複数の特定のセクションを識別することを含むことができる。例えば、便器の下部内側部分は第１のセクションであり得、トイレの周りの表面は第２のセクションであり得る。（例えば、画像処理、又はＲＦデータ、レーダーデータに基づいて）処理されると、洗浄マトリックスには、各セクションでどのタイプの洗浄が必要かを含むデータが含まれる場合がある。
【０２０９】
具体的には、図２Ｃに示されているように、トイレ、例えば、内面及び／又はトイレの周囲は、縦横の線（ｘ、ｙ、ｚ．．．及び１，２，３．．．）を持つ仮想洗浄マトリックスに分割され、各形成された長方形フレームがセクションを定義する。装置（処理ユニットなど）で仮想の縦線と横線を含む便器の内面の画像を提供し、分析及び処理し、消毒や集中洗浄などの特定の洗浄を必要とする識別セクションが洗浄が必要な識別セクションの近くにあるスプレーノズル３６１’’、３６３’’、３６５’’、３６７’’の１つ又は複数又は選択されたスプレーユニットの１つ（３６０又は３９０など）により洗浄され得る。特定のセクションを識別して洗浄する利点の１つは、特定の場所を洗浄するために装置の特定のユニットのみが所定の時間間隔で動作するためのエネルギーと水の節約が含まれる。
【０２１０】
場合によっては、洗浄プロセスは、一般的な洗浄手順に従うことができ、洗浄マトリックスによらないことがある。
【０２１１】
ステップ６７０では、底部噴霧ユニット３６０の起動に続いて、及び／又は第１の洗浄プロセスが完了すると（例えば８秒後）、典型的には消毒手順を含む第２の洗浄プロセスが開始される。いくつかの実施形態によれば、第２の洗浄プロセスは、上部噴霧ユニット５９０によって、及び／又は外部アーム３９０によって実行され、図３Ｉに示すように、衛生材料を便器キャビティ及び／又は便座及び／又は洗面所に噴霧し、したがって、最小限の時間で完全かつ最適な洗浄と衛生を実現する。
【０２１２】
通常、例えば、便座の動きの表示、又はユーザーのトイレの使用が完了したことを確認する他の表示に基づいてセンサ（近接センサなど）がユーザー又は任意の人が処理装置１００の近傍にいないことを確認したときに、第１の洗浄プロセス（ステップ６６０）及び／又は第２の洗浄プロセス（ステップ６７０）が開始されることに留意されたい。加えて、１つ以上の消毒手順を含む第２の洗浄プロセス（ステップ６７０）は、ユーザー又は任意の人がもはや（例えば健康上の理由で）洗面所にいないことを確認する指示を受け取ると起動される。
【０２１３】
場合によっては、ユーザーの動き、声、色、又は便座の動きなどの１つ又は複数の指標は、安全で健康的な洗浄プロセスを提供し、ユーザーの負傷を防ぐため、例えば、１つ又は複数の処理ユニット（例えば、処理ユニット４３１又は８１０）によって、例えば、便座の動きの兆候は二次的な指標であり、ユーザーの動きは実質的な指標であるなど、分類及び／又は優先順位付けされる。
【０２１４】
いくつかの実施形態によれば、洗浄装置は、女性用と男性用のトイレ用の異なる処理プログラムを含む。例えば、女性用トイレの指標と処理プログラムは女性の使用に応じており、男性用トイレの指標と処理プログラムは男性の使用に基づいている。１つ以上の指標に基づいて、処理装置は、正確なトイレの使用をリアルタイムで示すように構成されている。
【０２１５】
任意選択で、ステップ６８０で、トイレ又は処理装置の近くに人がいないことをインジケータが確認すると、例えば１時間ごとに自動的及び／又は周期的に起動される第３の洗浄プロセスが実行される。第３の洗浄プロセスは、例えば上部噴霧ユニット５９０及び／又は外部アーム３９０又は他の噴霧ユニット又はノズルによる便座又はトイレ空間の消毒を含むことができる。具体的には、消毒は、例えば数秒未満で揮発する可能性のある消毒剤を噴霧し、続いてトイレ周辺（例えば、便器）に香りを付けることを含む。
【０２１６】
場合によっては、第１及び／又は第２又は任意の洗浄プロセスは、装置の１つ又は複数のセンサによって受信される指示又は処理ユニットで受信される外部指示に従って自律的に停止又は繰り返され得る。例えば、近接センサは、ユーザーがまだトイレの近くにいるという表示を送信する場合があり、したがって、処理ユニットは、ユーザーを危険にさらす可能性のある洗浄手順又は洗浄手順をブロックする。代替として、又は組み合わせて、処理ユニットは、ユーザーにリスクを与えない洗浄手順を実行してもよい（例えば、きれいな水のみを使用する）。代替的に又は組み合わせて、処理ユニットは、トイレを洗浄せず、サンプルを取得するために、例えば通信モジュールによってデータを受信しもよい。
【０２１７】
図６Ｂは、実施形態による、自動及び／又は自律的にトイレを洗浄及び／又は泡立て及び／又は消毒する方法６９０のフローチャートである。ステップ６９１で、図１〜図５に示されるトイレ洗浄装置などの処理装置が提供され、最初に洗面所器具、すなわちトイレの縁に設置される。ステップ６９２で、装置１００又は１５０への接触又は圧力が作動すると、識別又は作動するように構成された圧力センサなどの圧力センサが例えばトイレ使用者の圧力などの物体の圧力などを検出する。ステップ６９３で、圧力識別の結果として装置が作動する。ステップ６９４で、タイマー又は処理ユニットが所定の時間装置を起動し、例えば洗浄剤と混合されたトイレ洗浄水を使用して汚れを洗浄することを含む第１の洗浄手順が起動される。場合によっては、洗浄手順は、それに応じてトイレの内部を洗浄するために予備ノズルを作動させる第１の洗浄ユニット３６０によって起動されてもよい。場合によっては、タイマーは、男性用トイレの場合は５〜１０秒の短い時間など、男性用トイレと女性用トイレで別々に調整され得る。ステップ６９５で、近接センサは、ユーザー又は物体がもはやトイレの近くにいないことを識別し、ステップ６９６で、タイマー又は処理ユニットは、例えば、図３Ｉに示すように、トイレを消毒するためのアームを回転させることで第２の洗浄手順を起動する。
【０２１８】
図７は、実施形態による、洗浄装置１００又は１５０を動作させるプロセス７００を詳細に示すフローチャートである。装置の起動前、装置は通常、装置のユニットが動作していないスリープモード７１０又は省エネモードである。ステップ７２０で、（例えば、表示灯の色に応じて、又は状態表示ボタンを押すと）１つ以上の表示灯又はスピーカーが装置の状態の情報を提供し、装置が起動されないことを確認する。場合によっては、ステップ７３０で、装置は、装置の洗浄剤の状態の自動チェックを定期的に動作させてもよい。したがって、材料容器は、外部又は内部タンクに接続された１つ又は複数の専用パイプ及びポンプを介して自動的に充填され得る。代替的に、又は組み合わせて、装置の容器はユーザーによって充填されてもよい。ステップ７４０では、近接センサなどの１つ以上のセンサがステップ７５０においてトイレの使用又は何回かの水洗サイクルを示すと、装置のモードは「スリープ」モードから「作動準備完了」モードに変換される。したがって、ステップ７６０でライト又はスピーカーは装置が「作動準備完了」モードにあることを示し、ステップ７７０でユーザーが便器の座席に近づいていないこと、又はユーザーがトイレの使用を完了したことをセンサが確認したら、装置のプロセッサはステップ７８０で装置を自動的に起動して、図６に示すように洗浄プロセスを開始する。例えば、ユーザーがトイレを立ったり水洗したりすると、最初の洗浄プロセスがアクティブになり、トイレを離れると２番目の洗浄プロセスがアクティブになる。
【０２１９】
図８は、いくつかの実施形態による、装置１００又は１５０などの洗浄装置の要素を示す高レベルの概略ブロック図８００である。装置１００は、例えばセンサ８２０などの１つ以上のセンサから受信した１つ以上の入力又はデータに従って装置を操作するように構成及び有効化された１つ以上の処理ユニット８１０を備える。センサ８２０は、ブリッジユニット１２０及び／又は処理ユニット１１０及び／又は貯蔵ユニット１３０に取り付けられ及び／又は結合され得る。代替的に又は組み合わせて、センサ８２０は、例えば便器の近く又はトイレ内の１つ以上の場所で装置１００の外部にあってもよい。
【０２２０】
動作中、近接センサ８８０又は圧力センサ８７０又は生物学的／化学的センサ８７５などの１つ又は複数のセンサ８２０は、処理ユニット８１０と通信して、１つ又は複数の特定の検知指示に従って装置１００を動作させる。例えば、圧力センサ８７０は、トイレがまだ使用中であることを認識するデータを提供し、それに応じて処理ユニット８１０を更新して受信データを分析し、装置の起動を防止する（例えば、洗浄プロセスの開始を防止する）。処理ユニット８１０は、センサから受信した情報及びデータで（例えばリアルタイムで）連続的に更新され、圧力及び／又は動き及び／又は任意の変化などの変化が近接センサから受信した情報などの追加の指示により圧力センサによって計測されると、図６及び７に示すように、洗浄プロセスが開始され得る。
【０２２１】
いくつかの実施形態によれば、処理ユニットは、１つ以上の撮像ユニット８７８、又はチューブラーなどの１つ以上のサンプリング装置８１６によって取得された画像又はサンプルを分析及び診断する他のセンサと通信し得る。
【０２２２】
追加又は代替として、処理ユニットは、装置洗浄動作を制御及び監視するための装置の操作（動作）ルールを含む所定の洗浄マトリックス８１５に従って洗浄装置を動作及び制御してもよい。動作ルールには、例えば、トイレの状態又は洗浄マトリックスに応じて、装置を操作する（又は、動作させる）ための条件、タイムライン、及び噴霧ユニット（例えば、上部又は下部噴霧ユニット）によって操作される特定の種類の洗浄手順が含まれる。場合によっては、マトリックス８１５は、例えばリアルタイムでセンサ８２０によって提供される、さらなる洗浄及び／又は消毒を必要とする特定の便器の位置に関するデータを含むことができる。データは、適切な噴霧ユニット（例えば、上部又は下部噴霧ユニット）を適宜作動させる処理ユニット８１０によってさらに分析されてもよい。
【０２２３】
場合によっては、装置１００は、１つ又は複数のセンサ及び／又はイメージャ及び／又は洗浄ユニットをアクティブ又は非アクティブにするためのトイレ状態に関するデータ又はコマンドを含む情報をクライアント装置８１８などの外部装置からサーバーネットワークを介して通信モジュール８１７を介して受信することができる。
【０２２４】
クライアント装置は、例えば、デスクトップ、ラップトップ、又はタブレットコンピュータ、メディアコンソール、携帯情報端末又はスマートフォン、又は必要な種類のネットワーク、ビデオ及びオーディオインターフェース及びコンピューティング機能を備えた他の種類の装置を含み得る。ネットワークサーバーと対話するため。例として、装置は、プロセッサ、メモリ、ディスプレイ、ユーザーからナビゲーションコマンドを受信するように構成されたユーザーインターフェース、サーバー及びスピーカーなどの他のユニットと通信するように構成された通信モジュールを備えたコンピュータを備えてもよい。場合によっては、装置は、例えば、プロセッサ、ディスプレイ、及びメモリを含む携帯電話でもよい。
【０２２５】
洗浄プロセスが作動すると、１つ又は複数のインジケータ８３１は、例えば１つ又は複数の明るい色８３２によって装置のステータスを示す。具体的には、緑色は、装置が洗浄プロセスを現在作動していることを示し、一方、赤色は、装置はスリープモードであることを示し得る。代替として、又は組み合わせて、１つ又は複数のスピーカー８３４が、「洗浄」、「消毒」などの装置の洗浄動作を通知してもよい。
【０２２６】
図６に関して本明細書で上述した洗浄プロセスは、流体容器から流体を汲み出し、水を便器表面に圧力で噴霧することを含むことができる。さらに、洗浄材料８０２は、例えば外部ユニット又はブリッジなどの他のユニットに配置された容器８０３から噴霧ユニット８０６に１つ又は複数のパイプを介して１つ又は複数のポンプ８０４によって送達される。処理ユニット８１０によって承認されると、洗浄材料８０２は、ノズル８１２を介してトイレに噴霧される。噴霧手順は、ノズル８１２又は外部予備アーム８９０を回転及び移動して、追加の洗浄を必要とする内部トイレ表面位置などの特定の位置に洗浄材料８０２を噴霧するように構成された１つ以上のモーター８１４によって処理ユニットによって制御される。
【０２２７】
当業者は、１つ以上のコンポーネント、１つ又は複数のコンポーネント、異なる順序で配置された複数のコンポーネント、及び／又は他のコンポーネントのサブコンポーネントを含む１つ以上のコンポーネントの除去又は追加を含むが、これらに限定されない、図６〜８に示されるフローに対して行われ得る変形及び適応を認識するであろう。
【０２２８】
実施形態によれば、ポンプ、センサ、噴霧ユニットなどの装置ユニット（例えば、装置１００又は１５０）は、１つ以上のセンサから受信したデータに従って動作する処理ユニットから命令を受信するために、各ユニット、具体的には処理ユニット（例えば、処理ユニット４３１）と通信するための無線又は有線回路などの通信要素又は手段を含む。
【０２２９】
実施形態によれば、装置はＩｏＴハブと動作するように構成される。
【０２３０】
場合によっては、ＩｏＴハブは、ＷＡＮを介してＩｏＴハブをＩｏＴサービスに結合するＷＡＮインターフェースと、ＩｏＴハブを複数の異なるタイプのＩｏＴ装置に通信可能に結合するローカル通信インターフェースと、プログラムコードを保存するためのメモリ及びプログラムコードを実行するためのマイクロコントローラを有する少なくとも１つのＩｏＴ装置とを備えることができ、ここで、プログラムコードは、ライブラリプログラムコードを利用するアプリケーションプログラムコードを作成することにより、任意のＩｏＴ装置を実装（又は、実施、実行）するために開発者が使用できる基本的なビルディングブロックを含むライブラリプログラムコードを含み、基本ビルディングブロックの少なくとも１つは、ＩｏＴハブとの通信を可能にする通信スタックを含み、ライブラリプログラムコードは、参照により本明細書に組み込まれる米国特許番号９，４９７，５７２に示されているように、ソフトウェア開発キット（ＳＤＫ）で開発者に提供される。場合によっては、他のＩｏＴの方法とシステムを、例えば、装置１００又は１５０の処理ユニットで実装することができる。
【０２３１】
本開示は、本開示の方法を実施するようにプログラムされたコンピュータ制御システムを提供する。図９は、例えばＰＣＢ４３２において、本開示のいくつかの実施形態による方法及び装置に組み込むのに適したコンピュータシステム９０１を示す。コンピュータシステム９０１は、例えば、質問と回答、応答、統計分析など、本開示の情報の様々な態様を処理することができる。コンピュータシステム９０１は、ユーザーの電子装置又は電子装置に対して遠隔に位置するコンピュータシステムであり得る。電子装置は、モバイル電子装置であり得る。
【０２３２】
コンピュータシステム９０１は、中央処理装置（ＣＰＵ、本明細書では「プロセッサ」及び「コンピュータプロセッサ」）９０５を含み、これは、シングルコア又はマルチコアプロセッサ、又は並列処理のための複数のプロセッサであり得る。コンピュータシステム９０１はまた、メモリ又はメモリロケーション９１０（例えば、ランダムアクセスメモリ、読み取り専用メモリ、フラッシュメモリ）、電子記憶ユニット９１５（例えば、ハードディスク）、通信するための通信インターフェース９２０（例えば、ネットワークアダプタ）及び他のシステム、及びキャッシュ、他のメモリ、データストレージ及び／又は電子ディスプレイアダプタなどの周辺機器９２５を含む。メモリ９１０、記憶ユニット９１５、インターフェース９２０、及び周辺機器９２５は、マザーボードなどの通信バス（実線）を介してＣＰＵ９０５と通信している。記憶ユニット９１５は、データを記憶するためのデータ記憶ユニット（又はデータリポジトリ）であり得る。コンピュータシステム９０１は、通信インターフェース９２０の助けを借りて、コンピュータネットワーク（「ネットワーク」）９３０に動作可能に結合され得る。ネットワーク９３０は、インターネット、インターネット及び／又はエクストラネット、又はイントラネット及び／又はインターネットと通信しているエクストラネットであり得る。ネットワーク９３０は、場合によっては、電気通信及び／又はデータネットワークである。ネットワーク９３０は、クラウドコンピューティングなどの分散コンピューティングを可能にすることができる１つ又は複数のコンピュータサーバーを含むことができる。ネットワーク９３０は、場合によってはコンピュータシステム９０１の助けを借りて、コンピュータシステム９０１に結合された装置がクライアント又はサーバーとして振る舞うことを可能にし得るピアツーピアネットワークを実装することができる。
【０２３３】
ＣＰＵ９０５は、プログラム又はソフトウェアで具現化され得る機械可読命令のシーケンスを実行することができる。命令は、メモリ９１０などのメモリ位置に格納されてもよい。命令は、ＣＰＵ９０５に向けられてもよく、ＣＰＵ９０５は、本開示の方法を実施するようにＣＰＵ９０５をその後プログラム又は構成できる。ＣＰＵ９０５によって実行される動作の例には、フェッチ、デコード、実行、及び書き戻しが含まれ得る。
【０２３４】
ＣＰＵ９０５は、例えば回路基板４３２などの集積回路などの回路の一部とすることができる。システム９０１の１つ又は複数の他のコンポーネントを回路に含めることができる。場合によっては、回路は特定用途向け集積回路（ＡＳＩＣ）である。
【０２３５】
記憶ユニット９１５は、ドライバなどのファイル、ライブラリ、及び保存されたプログラムを記憶することができる。記憶ユニット９１５は、ユーザーデータ、例えば、ユーザー選好及びユーザープログラムを記憶することができる。コンピュータシステム９０１は、場合によっては、イントラネット又はインターネットを介してコンピュータシステム９０１と通信しているリモートサーバ上にあるなど、コンピュータシステム９０１の外部にある１つ又は複数の追加のデータストレージユニットを含むことができる。
【０２３６】
コンピュータシステム９０１は、ネットワーク９３０を介して１つ以上のリモートコンピュータシステムと通信することができる。例えば、コンピュータシステム９０１は、ユーザー（例えば、親）のリモートコンピュータシステムと通信することができる。リモートコンピュータシステム及びモバイル通信装置の例には、パーソナルコンピュータ（ポータブルＰＣなど）、スレート又はタブレットＰＣ（Ａｐｐｌｅ（登録商標）ｉＰａｄ、Ｓａｍｓｕｎｇ（登録商標）Ｇａｌａｘｙ  Ｔａｂ）、電話、スマートフォン（Ａｐｐｌｅ（登録商標）ｉＰｈｏｎｅ、Ａｎｄｒｏｉｄ対応など）が含まれる装置、Ｂｌａｃｋｂｅｒｒｙ（登録商標））、携帯情報端末、ウェアラブル医療機器（Ｆｉｔｂｉｔｓなど）、又は医療機器モニター（発作モニターなど）が含まれる。ユーザーは、ネットワーク９３０でコンピュータシステム９０１にアクセスできる。
【０２３７】
本明細書に記載される方法は、例えばメモリ９１０又は電子記憶ユニット９１５などのコンピュータシステム９０１の電子記憶場所に記憶された機械（例えば、コンピュータプロセッサ）実行可能コードによって実施することができる。機械実行可能コード又は機械可読コードは、ソフトウェアの形で提供できる。使用中、プロセッサ９０５によりコードを実行することができる。場合によっては、コードを記憶ユニット９１５から検索し、メモリ９１０に保存して準備を整えることができる。状況によっては、電子記憶ユニット９１５を除外することができ、機械実行可能命令がメモリ９１０に保存される。
【０２３８】
コードは、コードを実行するように適合されたプロセッサを有するマシンで使用するために事前にコンパイル及び構成することができ、又は実行時にコンパイルすることができる。コードは、コードをプリコンパイル済み又はコンパイル済みの状態で実行可能にするように選択され得るプログラミング言語で提供できる。
【０２３９】
本明細書で提供されるコンピュータシステム４０１などのシステム及び方法の態様は、プログラミングで具体化することができる。技術のさまざまな側面は、典型的には機械（又はプロセッサ）実行可能コード及び／又はある種の機械可読媒体で運ばれるか又は具体化される関連データの形の「製品」又は「製造品」と考えることができる。マシン実行可能コードは、メモリ（読み取り専用メモリ、ランダムアクセスメモリ、フラッシュメモリなど）又はハードディスクなどの電子ストレージユニットに格納できる。「ストレージ」タイプのメディアには、コンピュータ、プロセッサなどの有形メモリのいずれか又はすべて、又はさまざまな半導体メモリ、テープドライブ、ディスクドライブなどの非一時的なストレージをソフトウェアプログラミングのためにいつでも提供する関連モジュールが含まれる。ソフトウェアのすべて又は一部は、インターネット又は他のさまざまな通信ネットワークを通じて通信される場合がある。そのような通信は、例えば、あるコンピュータ又はプロセッサから別のコンピュータ、例えば管理サーバー又はホストコンピュータからアプリケーションサーバーのコンピュータプラットフォームへのソフトウェアのロードを可能にし得る。したがって、ソフトウェア要素を保持できる別のタイプのメディアには、ローカル装置間の物理インターフェース間、有線及び光地上回線ネットワーク、さまざまなエアリンク経由で使用されるような、光波、電気波、及び電磁波が含まれる。有線又は無線リンク、光リンクなど、このような波を運ぶ物理要素も、ソフトウェアを搭載したメディアと見なすことができる。本明細書で使用するとき、非一時的な有形の「記憶」媒体に限定されない限り、コンピュータ又は機械の「読み取り可能媒体」などの用語は、実行のためにプロセッサに命令を提供することに関与する任意の媒体を指す。
【０２４０】
したがって、コンピュータ実行可能コードなどの機械可読媒体は、有形の記憶媒体、搬送波媒体又は物理的伝送媒体を含むがこれらに限定されない多くの形態をとることができる。不揮発性記憶媒体には、例えば、図面に示されるデータベースなどを実装（又は、実施、実行）するために使用され得るような、任意のコンピュータなどの記憶装置のいずれかなどの光学又は磁気ディスクが含まれる。揮発性記憶媒体には、このようなコンピュータプラットフォームのメインメモリなどの動的メモリが含まれる。有形伝送媒体には、コンピュータシステム内のバスを構成するワイヤを含む銅線、光ファイバー、同軸ケーブルが含まれる。搬送波伝送媒体は、電気信号又は電磁信号、又は無線周波数（ＲＦ）及び赤外線（ＩＲ）データ通信中に生成されるような音響波又は光波の形式を取る。したがって、一般的な形式のコンピュータ読み取り可能メディアには、例えば、フロッピー（登録商標）ディスク、フレキシブルディスク、ハードディスク、磁気テープ、その他の磁気メディア、ＣＤ−ＲＯＭ、ＤＶＤ又はＤＶＤ−ＲＯＭ、その他の光学メディア、パンチカード用紙が含まれる。テープ、穴のパターンを持つ他の物理記憶媒体、ＲＡＭ、ＲＯＭ、ＰＲＯＭ及びＥＰＲＯＭ、ＦＬＡＳＨ−ＥＰＲＯＭ、その他のメモリチップ又はカートリッジ、データ又は命令を運ぶ搬送波、そのような搬送波を運ぶケーブル又はリンクウェーブ、又はコンピュータがプログラミングコードやデータを読み取ることができるその他の媒体を含む。コンピュータ可読媒体のこれらの形式の多くは、実行のためにプロセッサに１つ又は複数の命令の１つ又は複数のシーケンスを運ぶことに関与している可能性がある。
【０２４１】
コンピュータシステム９０１は、例えば質問と回答、分析結果、推奨を提供するためのユーザーインターフェース（ＵＩ）９４０を含む電子ディスプレイ９３５を含むか、それと通信することができる。ＵＩの例には、グラフィカルユーザーインターフェース（ＧＵＩ）及びＷｅｂベースのユーザーインターフェースが含まれるが、これらに限定されない。
【０２４２】
本開示の方法及びシステムは、１つ又は複数のアルゴリズムによって、及び本明細書で開示されるような１つ又は複数のプロセッサを備えた命令で実装（又は、実施、実行）することができる。アルゴリズムは、中央処理装置９０５による実行時にソフトウェアを介して実装することができる。アルゴリズムは、例えば、ランダムフォレスト、グラフィカルモデル、サポートベクターマシンなどであり得る。
【０２４３】
上記のステップは、一例によるシステムの方法を示しているが、当業者は、本明細書で説明されている教示に基づいて多くの変形を認識するであろう。手順は別の順序で完了する場合がある。手順は追加又は削除できる。一部の手順にはサブ手順が含まれる場合がある。プラットフォームにとって有益であるだけ手順が繰り返される場合がある。
【０２４４】
本明細書に記載される各例は、１つ以上の他の例と組み合わせることができる。さらに、１つ以上の例の１つ以上の構成要素は、他の例と組み合わせることができる。
【０２４５】
いくつかの実施形態では、本明細書に記載の洗浄装置は、デジタル処理ユニット又は装置、又はその使用を含む。さらなる実施形態では、デジタル処理装置は、装置の機能を実行する１つ以上のハードウェア中央処理装置（ＣＰＵ）を含む。さらなる実施形態では、デジタル処理装置は、実行可能な命令を実行するように構成されたオペレーティングシステムをさらに備える。いくつかの実施形態では、デジタル処理装置は、オプションでコンピュータネットワークに接続される。さらなる実施形態では、デジタル処理装置は、ワールドワイドウェブにアクセスするようにインターネットにオプションで接続される。さらに別の実施形態では、デジタル処理装置は、クラウドコンピューティングインフラストラクチャにオプションで接続される。他の実施形態では、デジタル処理装置は、オプションでイントラネットに接続される。他の実施形態では、デジタル処理装置は、オプションでデータ記憶装置に接続される。
【０２４６】
当業者は、多くのスマートフォンが本明細書に記載のシステムでの使用に適していることを認識するであろう。当業者は、オプションのコンピュータネットワーク接続性を備えた選択されたテレビ、ビデオプレーヤー、及びデジタル音楽プレーヤーが、本明細書で説明されるシステムでの使用に適していることも認識するであろう。適切なタブレットコンピュータには、当業者に知られている小冊子、スレート、及びコンバーチブル構成を備えたものが含まれる。
【０２４７】
いくつかの実施形態では、デジタル処理装置は、実行可能な命令を実行するように構成されたオペレーティングシステムを含む。オペレーティングシステムは、例えば、装置のハードウェアを管理し、アプリケーションの実行のためのサービスを提供するプログラムやデータを含むソフトウェアである。当業者は、適切なサーバーオペレーティングシステムには、非限定的な例として、ＦｒｅｅＢＳＤ、ＯｐｅｎＢＳＤ、ＮｅｔＢＳＤ（登録商標）、Ｌｉｎｕｘ（登録商標）、Ａｐｐｌｅ（登録商標）Ｍａｃ  ＯＳ  ＸＳｅｒｖｅｒ（登録商標）、Ｏｒａｃｌｅ（登録商標）Ｓｏｌａｒｉｓ（登録商標）、ＷｉｎｄｏｗｓＳｅｒｖｅｒ（登録商標）、及びＮｏｖｅｌｌ（登録商標）ＮｅｔＷａｒｅ（登録商標）を含むことを理解するであろう。当業者は、適切なパーソナルコンピュータオペレーティングシステムには、非限定的な例として、Ｍｉｃｒｏｓｏｆｔ（登録商標）Ｗｉｎｄｏｗｓ（登録商標）、Ａｐｐｌｅ（登録商標）Ｍａｃ  ＯＳＸ（登録商標）、ＵＮＩＸ（登録商標）、及びＧＮＵ／Ｌｉｎｕｘ（登録商標）などのＵＮＩＸ（登録商標）ライクなオペレーティングシステムが含まれることを認識するであろう。いくつかの実施形態では、オペレーティングシステムはクラウドコンピューティングによって提供される。当業者はまた、適切なモバイルスマートフォンオペレーティングシステムには、非限定的な例として、ノキア（登録商標）シンビアン（登録商標）ＯＳ、アップル（登録商標）ｉＯＳ（登録商標）、リサーチインモーション（登録商標）ブラックベリーＯＳ（登録商標）、グーグル（登録商標）Ａｎｄｒｏｉｄ（登録商標）、  Ｍｉｃｒｏｓｏｆｔ（登録商標）ＷｉｎｄｏｗｓＰｈｏｎｅ（登録商標）ＯＳ、Ｍｉｃｒｏｓｏｆｔ（登録商標）ＷｉｎｄｏｗｓＭｏｂｉｌｅ（登録商標）ＯＳ、Ｌｉｎｕｘ（登録商標）、及びＰａｌｍ（登録商標）ＷｅｂＯＳ（登録商標）が含まれることを理解するであろう。
【０２４８】
いくつかの実施形態では、装置は、ストレージ及び／又はメモリ装置を含む。ストレージ及び／又はメモリ装置は、データ又はプログラムを一時的又は永続的に保存するために使用される１つ又は複数の物理的装置である。いくつかの実施形態では、装置は揮発性メモリであり、保存された情報を維持するために電力を必要とする。いくつかの実施形態では、装置は不揮発性メモリであり、デジタル処理装置に電力が供給されていないときに保存された情報を保持する。さらなる実施形態では、不揮発性メモリはフラッシュメモリを含む。一部の実施形態では、不揮発性メモリは、ダイナミックランダムアクセスメモリ（ＤＲＡＭ）を含む。いくつかの実施形態では、不揮発性メモリは、強誘電体ランダムアクセスメモリ（ＦＲＡＭ（登録商標））を含む。いくつかの実施形態では、不揮発性メモリは、相変化ランダムアクセスメモリ（ＰＲＡＭ）を含む。他の実施形態では、装置は、非限定的な例として、ＣＤ−ＲＯＭ、ＤＶＤ、フラッシュメモリ装置、磁気ディスクドライブ、磁気テープドライブ、光ディスクドライブ、及びクラウドコンピューティングベースのストレージを含むストレージ装置である。さらなる実施形態では、ストレージ及び／又はメモリ装置は、本明細書に開示されているような装置の組み合わせである。
【０２４９】
いくつかの実施形態では、デジタル処理装置は、視覚情報をユーザーに送るディスプレイを含む。いくつかの実施形態では、ディスプレイは陰極線管（ＣＲＴ）である。いくつかの実施形態では、ディスプレイは液晶ディスプレイ（ＬＣＤ）である。さらなる実施形態では、ディスプレイは薄膜トランジスタ液晶ディスプレイ（ＴＦＴ−ＬＣＤ）である。いくつかの実施形態では、ディスプレイは有機発光ダイオード（ＯＬＥＤ）ディスプレイである。様々なさらなる実施形態において、ＯＬＥＤディスプレイ上には、パッシブマトリックスＯＬＥＤ（ＰＭＯＬＥＤ）又はアクティブマトリックスＯＬＥＤ（ＡＭＯＬＥＤ）ディスプレイがある。いくつかの実施形態では、ディスプレイはプラズマディスプレイである。他の実施形態では、ディスプレイはビデオプロジェクタである。さらに別の実施形態では、ディスプレイは、本明細書に開示されているような装置の組み合わせである。
【０２５０】
いくつかの実施形態では、デジタル処理装置は、ユーザーから情報を受け取るための入力装置を含む。いくつかの実施形態では、入力装置はキーボードである。他の実施形態では、入力装置は、音声又は他の音声入力をキャプチャするためのマイクである。他の実施形態では、入力装置は、動き又は視覚入力をキャプチャするビデオカメラである。さらに別の実施形態では、入力装置は、本明細書に開示されているような装置の組み合わせである。
【０２５１】
いくつかの実施形態において、本明細書に開示される分光計システムは、任意にネットワーク化されたデジタル処理装置のオペレーティングシステムによって実行可能な命令を含むプログラムでエンコードされた１つ以上の非一時的なコンピュータ可読記憶媒体を含む。さらなる実施形態では、コンピュータ可読記憶媒体は、デジタル処理装置の有形のコンポーネントである。さらに別の実施形態では、コンピュータ可読記憶媒体は、オプションでデジタル処理装置から取り外し可能である。いくつかの実施形態では、コンピュータ可読記憶媒体は、非限定的な例として、ＣＤ−ＲＯＭ、ＤＶＤ、フラッシュメモリ装置、ソリッドステートメモリ、磁気ディスクドライブ、磁気テープドライブ、光ディスクドライブ、クラウドコンピューティングシステム及びサービスを含む。場合によっては、プログラム及び命令は、メディア上に永続的、実質的に永続的、半永続的、又は非一時的にエンコードされる。
【０２５２】
いくつかの実施形態では、本明細書に開示される分光計システムは、少なくとも１つのコンピュータプログラム、又はその使用を含む。コンピュータプログラムには、デジタル処理装置のＣＰＵで実行可能な一連の命令が含まれ、指定されたタスクを実行するように記述されている。コンピュータ可読命令は、特定のタスクを実行したり特定の抽象データ型を実装したりする、関数、オブジェクト、アプリケーションプログラミングインターフェース（ＡＰＩ）、データ構造などのプログラムモジュールとして実装できる。本明細書で提供される開示に照らして、当業者は、コンピュータプログラムが様々な言語の様々なバージョンで書かれ得ることを認識するであろう。
【０２５３】
コンピュータ可読命令の機能は、様々な環境で望まれるように結合又は分散させることができる。いくつかの実施形態では、コンピュータプログラムは命令の１つのシーケンスを含む。いくつかの実施形態では、コンピュータプログラムは、命令の複数のシーケンスを含む。いくつかの実施形態では、コンピュータプログラムは１つの場所から提供される。他の実施形態では、コンピュータプログラムは複数の場所から提供される。様々な実施形態において、コンピュータプログラムは１つ以上のソフトウェアモジュールを含む。様々な実施形態において、コンピュータプログラムは、部分的又は全体的に、１つ以上のウェブアプリケーション、１つ以上のモバイルアプリケーション、１つ以上のスタンドアロンアプリケーション、１つ以上のウェブブラウザプラグイン、拡張、アドイン、又はアドオン又はそれらの組み合わせを含む。
【０２５４】
いくつかの実施形態では、コンピュータプログラムは、モバイルデジタル処理装置に提供されるモバイルアプリケーションを含む。いくつかの実施形態では、モバイルアプリケーションは、製造時にモバイルデジタル処理装置に提供される。他の実施形態では、モバイルアプリケーションは、本明細書で説明されるコンピュータネットワークを介してモバイルデジタル処理装置に提供される。
【０２５５】
本明細書で提供される開示を考慮して、モバイルアプリケーションは、当技術分野で知られているハードウェア、言語、及び開発環境を使用して、当業者に知られている技法によって作成される。当業者は、モバイルアプリケーションがいくつかの言語で書かれていることを認識するであろう。適切なプログラミング言語には、非限定的な例として、Ｃ、Ｃ＋＋、Ｃ＃、Ｏｂｊｅｃｔｉｖｅ−Ｃ、Ｊａｖａ（登録商標）、Ｊａｖａｓｃｒｉｐｔ、Ｐａｓｃａｌ、Ｏｂｊｅｃｔ  Ｐａｓｃａｌ、Ｐｙｔｈｏｎ（登録商標）、Ｒｕｂｙ、ＶＢ．ＮＥＴ、ＷＭＬ、及びＣＳＳ有り又は無のＸＨＴＭＬ／ＨＴＭＬ又はそれらの組み合わせが含まれる。
【０２５６】
適切なモバイルアプリケーション開発環境は、いくつかのソースから入手可能である。市販の開発環境には、非限定的な例として、ＡｉｒｐｌａｙＳＤＫ、ａｌｃｈｅＭｏ、Ａｐｐｃｅｌｅｒａｔｏｒ（登録商標）、Ｃｅｌｓｉｕｓ、Ｂｅｄｒｏｃｋ、Ｆｌａｓｈ  Ｌｉｔｅ、．ＮＥＴ  Ｃｏｍｐａｃｔ  Ｆｒａｍｅｗｏｒｋ、Ｒｈｏｍｏｂｉｌｅ、ＷｏｒｋＬｉｇｈｔ  Ｍｏｂｉｌｅ  Ｐｌａｔｆｏｒｍが含まれる。Ｌａｚａｒｕｓ、ＭｏｂｉＦｌｅｘ、ＭｏＳｙｎｃ、Ｐｈｏｎｅｇａｐなどの非限定的な例として、他の開発環境を無料で利用できる。また、モバイル装置メーカーは、非限定的な例として、ｉＰｈｏｎｅ及びｉＰａｄ（ｉＯＳ）ＳＤＫ、Ａｎｄｒｏｉｄ（登録商標）ＳＤＫ、ＢｌａｃｋＢｅｒｒｙ（登録商標）ＳＤＫ、ＢＲＥＷ  ＳＤＫ、Ｐａｌｍ（登録商標）ＯＳ  ＳＤＫ、Ｓｙｍｂｉａｎ  ＳＤＫ、ｗｅｂＯＳ  ＳＤＫ、及びＷｉｎｄｏｗｓ（登録商標）ＭｏｂｉｌｅＳＤＫを含むソフトウェア開発者キットを配布している。
【０２５７】
当業者は、非限定的な例として、アップル（登録商標）Ａｐｐ  Ｓｔｏｒｅ、Ａｎｄｒｏｉｄ（登録商標）Ｍａｒｋｅｔ、ＢｌａｃｋＢｅｒｒｙ（登録商標）Ａｐｐ  Ｗｏｒｌｄ、Ｐａｌｍ用Ａｐｐ  Ｓｔｏｒｅ、ｗｅｂＯＳ用アプリカタログ、モバイル用Ｗｉｎｄｏｗｓ（登録商標）マーケットプレイス、ノキア（登録商標）装置用Ｏｖｉストア、サムスン（登録商標）アプリ、ニンテンドー（登録商標）ＤＳｉショップを含むモバイルアプリケーションの配布にいくつかの商業フォーラムが利用可能であることを認識する。
【０２５８】
いくつかの実施形態では、本明細書で開示される洗浄装置は、ソフトウェア、サーバー、及び／又はデータベースモジュール、又はそれらの使用を含む。本明細書で提供される開示を考慮して、ソフトウェアモジュールは、当技術分野で知られている機械、ソフトウェア、及び言語を使用して、当業者に知られている技法によって作成される。本明細書で開示されるソフトウェアモジュールは、多数の方法で実装される。様々な実施形態において、ソフトウェアモジュールは、ファイル、コードのセクション、プログラミングオブジェクト、プログラミング構造、又はそれらの組み合わせを含む。さらに様々な実施形態では、ソフトウェアモジュールは、複数のファイル、複数のコードセクション、複数のプログラミングオブジェクト、複数のプログラミング構造、又はそれらの組み合わせを含む。様々な実施形態において、１つ以上のソフトウェアモジュールは、非限定的な例として、ウェブアプリケーション、モバイルアプリケーション、及びスタンドアロンアプリケーションを含む。いくつかの実施形態では、ソフトウェアモジュールは１つのコンピュータプログラム又はアプリケーションに含まれる。他の実施形態では、ソフトウェアモジュールは複数のコンピュータプログラム又はアプリケーションに含まれる。いくつかの実施形態では、ソフトウェアモジュールは１台のマシンでホストされる。他の実施形態では、ソフトウェアモジュールは複数のマシンでホストされる。さらなる実施形態では、ソフトウェアモジュールはクラウドコンピューティングプラットフォーム上でホストされる。いくつかの実施形態では、ソフトウェアモジュールは、１つの場所の１つ以上のマシンでホストされる。他の実施形態では、ソフトウェアモジュールは、１つ以上の場所にある１つ以上のマシンでホストされる。
【０２５９】
いくつかの実施形態では、本明細書で開示される洗浄装置は、１つ又は複数のデータベース、又はその使用を含む。本明細書で提供される開示を考慮して、当業者は、多くのデータベースが本明細書で説明される情報の保存及び検索に適していることを認識するであろう。様々な実施形態において、適切なデータベースには、非限定的な例として、リレーショナルデータベース、非リレーショナルデータベース、オブジェクト指向データベース、オブジェクトデータベース、エンティティ関係モデルデータベース、連想データベース、及びＸＭＬデータベースが含まれる。いくつかの実施形態では、データベースはインターネットベースである。さらなる実施形態では、データベースはウェブベースである。さらなる実施形態では、データベースはクラウドコンピューティングベースである。他の実施形態では、データベースは、１つ以上のローカルコンピュータ記憶装置に基づいている。
【０２６０】
本明細書における「いくつかの実施形態」、「実施形態」、「一実施形態」又は「他の実施形態」への言及は、実施形態に関連して説明される特定の特徴、構造、又は特性が少なくともいくつかの実施形態に含まれることを意味するが、必ずしも発明のすべての実施形態ではない。
【０２６１】
本明細書で使用される語法及び用語は、限定するものとして解釈されるべきではなく、説明目的のみのためであることを理解されたい。本発明の教示の原理及び使用は、添付の説明、図及び実施例を参照することにより、よりよく理解され得る。
【０２６２】
本明細書に記載される詳細は、本発明の適用に対する制限を解釈するものではないことを理解されたい。
【０２６３】
さらに、本発明は様々な方法で実行又は実施でき、本発明は上記の説明で概説したもの以外の実施形態で実施できることを理解されたい。
【０２６４】
用語「含む」、「含む」、「構成する」及びその文法的変形は、１つ又は複数の構成要素、特徴、手順、又はその整数又はグループの追加を排除しないこと、及びその用語はコンポーネント、機能、手順、又は整数を指定するものと解釈される。
【０２６５】
明細書又は請求項が「追加の」要素に言及する場合、それは、追加の要素が複数あることを排除しない。
【０２６６】
特許請求の範囲又は明細書が「１つの」要素（「ａ」又は「ａｎ」要素）に言及する場合、そのような参照は、その要素の１つのみが存在すると解釈されないことを理解されたい。
【０２６７】
構成要素、特徴、構造、又は特性が「含まれる」、「可能性がある」、「できる」、又は「できる」と明細書に記載されている場合、その特定の構成要素、特徴、構造、又は特性を含める必要はない。
【０２６８】
適用可能な場合、状態図、フロー図、又はその両方が実施形態を説明するために使用され得るが、本発明はそれらの図又は対応する説明に限定されない。例えば、フローは、図示された各ボックス又は状態を通って、又は図示及び説明とまったく同じ順序で移動する必要はない。
【０２６９】
本発明の方法は、選択された手順又はタスクを、手動で、自動的に、又はそれらの組み合わせで実行又は完了することにより実装され得る。
【０２７０】
特許請求の範囲及び明細書に提示される説明、実施例、方法及び材料は、限定として解釈されるべきではなく、単に例示として解釈されるべきである。
【０２７１】
本明細書で使用される技術用語及び科学用語の意味は、特に定義されない限り、本発明が属する技術分野の当業者によって普通に理解されるべきである。
【０２７２】
本発明は、本明細書に記載のものと同等又は類似の方法及び材料を用いた試験又は実施において実施され得る。
【０２７３】
本発明を限られた数の実施形態に関して説明したが、これらは本発明の範囲を限定するものとして解釈されるべきではなく、むしろ好ましい実施形態のいくつかの例示として解釈されるべきである。他の可能な変形、修正、及び応用も本発明の範囲内である。したがって、本発明の範囲は、これまで説明してきたことによって制限されるべきではなく、添付の特許請求の範囲及びそれらの法的均等物によって制限されるべきである。
【０２７４】
本明細書で言及されるすべての刊行物、特許及び特許出願は、あたかも個々の刊行物、特許又は特許出願が具体的かつ個別に本明細書に組み込まれることが示されるのと同程度に、参照により全体が本明細書に組み込まれる。加えて、本出願における任意の参考文献の引用又は特定は、そのような参考文献が本発明の先行技術として利用可能であることの承認として解釈されるべきではない。そのセクションの見出しが使用されている限り、それらは必ずしも制限するものとして解釈されるべきではない。
【図１Ａ】
2020522628.tif 000003
【図１Ｂ】
2020522628.tif 000004
【図１Ｃ】
2020522628.tif 000005
【図１Ｄ】
2020522628.tif 000006
【図１Ｅ】
2020522628.tif 000007
【図１Ｆ】
2020522628.tif 000008
【図１Ｇ】
2020522628.tif 000009
【図２Ａ】
2020522628.tif 000010
【図２Ｂ】
2020522628.tif 000011
【図２Ｃ】
2020522628.tif 000012
【図３Ａ】
2020522628.tif 000013
【図３Ｂ】
2020522628.tif 000014
【図３Ｃ】
2020522628.tif 000015
【図３Ｄ】
2020522628.tif 000016
【図３Ｅ】
2020522628.tif 000017
【図３Ｆ】
2020522628.tif 000018
【図３Ｇ】
2020522628.tif 000019
【図３Ｈ】
2020522628.tif 000020
【図３Ｉ】
2020522628.tif 000021
【図４Ａ】
2020522628.tif 000022
【図４Ｂ】
2020522628.tif 000023
【図４Ｃ】
2020522628.tif 000024
【図４Ｄ】
2020522628.tif 000025
【図５Ａ】
2020522628.tif 000026
【図５Ｂ】
2020522628.tif 000027
【図５Ｃ】
2020522628.tif 000028
【図５Ｄ】
2020522628.tif 000029
【図６Ａ】
2020522628.tif 000030
【図６Ｂ】
2020522628.tif 000031
【図７】
2020522628.tif 000032
【図８】
2020522628.tif 000033
【図９】
2020522628.tif 000034
【国際調査報告】
2020522628.tif 000035
2020522628.tif 000036